(57)【要約】【課題】複数の移動局装置と基地局装置から構成される無線通信システムにおいて、上りリンクの信号を制御し、移動局装置と基地局装置間で適切な通信を行なうことができない状況を早急に復旧させる。【解決手段】各要素周波数帯域で受信された信号に含まれるデータに対する肯定応答および／または否定応答を少なくとも示す制御情報を生成する応答生成部４０５１と、前記応答生成部で生成された制御情報に対応する符号語を符号語表から選択する符号語選択部４０５５と、信号の受信を行なうことが要求される１個以上の要素周波数帯域を示すコマンドの検出を行なうコマンド検出部４０５３と、前記コマンド検出部でコマンドが検出される毎に異なる種類の符号語表を前記符号語選択部に対して設定する符号語表設定部４５５１と、を備える。【選択図】図４
2011211322.tif 000002
【特許請求の範囲】
【請求項１】
複数の移動局装置および前記複数の移動局装置と信号の送受信を行なう基地局装置から構成される無線通信システムに適用され、予め定められた周波数帯域幅を有する要素周波数帯域を１個以上用いて信号の受信を行なう移動局装置であって、
各要素周波数帯域で受信された信号に含まれるデータに対する肯定応答および／または否定応答を少なくとも示す制御情報を生成する応答生成部と、
前記応答生成部で生成された制御情報に対応する符号語を符号語表から選択する符号語選択部と、
信号の受信を行なうことが要求される１個以上の要素周波数帯域を示すコマンドの検出を行なうコマンド検出部と、
前記コマンド検出部でコマンドが検出される毎に異なる種類の符号語表を前記符号語選択部に対して設定する符号語表設定部と、を備えることを特徴とする移動局装置。
【請求項２】
前記符号語表は、複数の符号帳から構成され、各符号帳は、信号の受信を行なうことが要求される要素周波数帯の数がそれぞれ同じ場合に用いられる符号語の集合から構成されることを特徴とする請求項１記載の移動局装置。
【請求項３】
複数の移動局装置および前記複数の移動局装置と信号の送受信を行なう基地局装置から構成される無線通信システムに適用され、予め定められた周波数帯域幅を有する要素周波数帯域を１個以上用いて信号の送信を行なう基地局装置であって、
前記移動局装置に対して信号の受信を行なうことを要求する１個以上の要素周波数帯域を示すコマンドの生成を行なうコマンド生成部と、
前記コマンド生成部で生成されたコマンドを前記移動局装置に対して送信する送信処理部と、
前記移動局装置から複数の要素周波数帯域で受信された信号に含まれるデータに対する肯定応答および／または否定応答を少なくとも示す制御情報に対応する符号語を含む信号を受信する受信処理部と、
複数の符号語から構成される符号語表であって、異なる種類の複数の符号語表の中から前記受信処理部で受信された信号が含む符号語を検出する符号語検出部と、
前記符号語検出部で検出された符号語が属する符号語表の種類に基づいて前記移動局装置が信号の受信を行なうことが要求される１個以上の要素周波数帯域を変更したか否かを判断する受信要素周波数帯域変更判断部と、を備えることを特徴とする基地局装置。
【請求項４】
前記受信要素周波数帯域変更判断部は、前記符号語検出部で検出された符号語が、前回検出された符号語を含む符号語表の種類に対して異なる種類の符号語表に属する符号語である場合に前記移動局装置が信号の受信を行なうことが要求される１個以上の要素周波数帯域を変更したと判断し、前回検出された符号語を含む符号語表の種類に対して同じ種類の符号語表に属する符号語である場合に前記移動局装置が信号の受信を行なうことが要求される１個以上の要素周波数帯域を変更していないと判断することを特徴とする請求項３記載の基地局装置。
【請求項５】
前記符号語表は、複数の符号帳から構成され、各符号帳は、前記移動局装置において信号の受信を行なうことが要求される要素周波数帯の数がそれぞれ同じ場合に用いられる符号語の集合から構成され、
前記符号語検出部は、前回検出された符号語が属する符号帳と、前回検出された符号語が属する符号語表とは異なる種類の符号語表の中から前記受信処理部で受信された信号が含む符号語を検出することを特徴とする請求項４記載の基地局装置。
【請求項６】
複数の移動局装置および前記複数の移動局装置と信号の送受信を行なう基地局装置から構成される無線通信システムに適用され、予め定められた周波数帯域幅を有する要素周波数帯域を１個以上用いて信号の受信を行なう通信方法であって、
前記移動局装置において、
各要素周波数帯域で受信された信号に含まれるデータに対する肯定応答および／または否定応答を少なくとも示す制御情報を生成するステップと、
生成された制御情報に対応する符号語を符号語表から選択するステップと、
信号の受信を行なうことが要求される１個以上の要素周波数帯域を示すコマンドの検出を行なうステップと、
コマンドが検出される毎に異なる種類の符号語表を設定するステップと、を少なくとも含むことを特徴とする通信方法。
【請求項７】
複数の移動局装置および前記複数の移動局装置と信号の送受信を行なう基地局装置から構成される無線通信システムに適用され、予め定められた周波数帯域幅を有する要素周波数帯域を１個以上用いて信号の送信を行なう通信方法であって、
前記基地局装置において、
前記移動局装置に対して信号の受信を行なうことを要求する１個以上の要素周波数帯域を示すコマンドの生成を行なうステップと、
生成されたコマンドを前記移動局装置に対して送信するステップと、
前記移動局装置から複数の要素周波数帯域で受信された信号に含まれるデータに対する肯定応答および／または否定応答を少なくとも示す制御情報に対応する符号語を含む信号を受信するステップと、
複数の符号語から構成される符号語表であって、異なる種類の複数の符号語表の中から受信された信号が含む符号語を検出するステップと、
検出された符号語が属する符号語表の種類に基づいて前記移動局装置が信号の受信を行なうことが要求される１個以上の要素周波数帯域を変更したか否かを判断するステップと、を少なくとも含むことを特徴とする通信方法。
【請求項８】
移動局装置に実装されることにより、前記移動局装置に複数の機能を発揮させる集積回路であって、
基地局装置より、予め定められた周波数帯域幅を有する要素周波数帯域を１個以上用いて信号の受信を行なう機能と、
各要素周波数帯域で受信された信号に含まれるデータに対する肯定応答および／または否定応答を少なくとも示す制御情報を生成する機能と、
生成された制御情報に対応する符号語を符号語表から選択する機能と、
信号の受信を行なうことが要求される１個以上の要素周波数帯域を示すコマンドの検出を行なう機能と、
コマンドが検出される毎に異なる種類の符号語表を前記符号語選択部に対して設定する機能と、を含む一連の機能を、前記移動局装置に発揮させることを特徴とする集積回路。
【請求項９】
基地局装置に実装されることにより、前記基地局装置に複数の機能を発揮させる集積回路であって、
移動局装置に対して、予め定められた周波数帯域幅を有する要素周波数帯域を１個以上用いて信号の送信を行なう機能と、
前記移動局装置に対して信号の受信を行なうことを要求する１個以上の要素周波数帯域を示すコマンドの生成を行なう機能と、
生成されたコマンドを前記移動局装置に対して送信する機能と、
前記移動局装置から複数の要素周波数帯域で受信された信号に含まれるデータに対する肯定応答および／または否定応答を少なくとも示す制御情報に対応する符号語を含む信号を受信する機能と、
複数の符号語から構成される符号語表であって、異なる種類の複数の符号語表の中から受信された信号が含む符号語を検出する機能と、
検出された符号語が属する符号語表の種類に基づいて前記移動局装置が信号の受信を行なうことが要求される１個以上の要素周波数帯域を変更したか否かを判断する機能と、を含む一連の機能を、前記基地局装置に発揮させることを特徴とする集積回路。
【請求項１０】
複数の移動局装置および前記複数の移動局装置と予め定められた周波数帯域幅を有する要素周波数帯域を１個以上用いて信号の送受信を行なう基地局装置から構成される無線通信システムであって、
前記基地局装置は、
前記移動局装置に対して信号の受信を行なうことを要求する１個以上の要素周波数帯域を示すコマンドの生成を行なうコマンド生成部と、
前記コマンド生成部で生成されたコマンドを前記移動局装置に対して送信する送信処理部と、
前記移動局装置から複数の要素周波数帯域で受信された信号に含まれるデータに対する肯定応答および／または否定応答を少なくとも示す制御情報に対応する符号語を含む信号を受信する受信処理部と、
複数の符号語から構成される符号語表であって、異なる種類の複数の符号語表の中から前記受信処理部で受信された信号が含む符号語を検出する符号語検出部と、
前記符号語検出部で検出された符号語が属する符号語表の種類に基づいて前記移動局装置が信号の受信を行なうことが要求される１個以上の要素周波数帯域を変更したか否かを判断する受信要素周波数帯域変更判断部と、を備え、
前記移動局装置は、
各要素周波数帯域で受信された信号に含まれるデータに対する肯定応答および／または否定応答を少なくとも示す制御情報を生成する応答生成部と、
前記応答生成部で生成された制御情報に対応する符号語を符号語表から選択する符号語選択部と、
信号の受信を行なうことが要求される１個以上の要素周波数帯域を示すコマンドの検出を行なうコマンド検出部と、
前記コマンド検出部でコマンドが検出される毎に異なる種類の符号語表を前記符号語選択部に対して設定する符号語表設定部と、を備えることを特徴とする無線通信システム。
【請求項１１】
複数の移動局装置および前記複数の移動局装置と信号の送受信を行なう基地局装置から構成される無線通信システムに適用され、予め定められた周波数帯域幅を有する要素周波数帯域を１個以上用いて信号の受信を行なう移動局装置の制御プログラムであって、
各要素周波数帯域で受信された信号に含まれるデータに対する肯定応答および／または否定応答を少なくとも示す制御情報を生成する処理と、
生成された制御情報に対応する符号語を符号語表から選択する処理と、
信号の受信を行なうことが要求される１個以上の要素周波数帯域を示すコマンドの検出を行なう処理と、
コマンドが検出される毎に異なる種類の符号語表を前記符号語選択部に対して設定する処理と、を含む一連の処理を、コンピュータに読み取り可能および実行可能にコマンド化したことを特徴とする制御プログラム。
【請求項１２】
複数の移動局装置および前記複数の移動局装置と信号の送受信を行なう基地局装置から構成される無線通信システムに適用され、予め定められた周波数帯域幅を有する要素周波数帯域を１個以上用いて信号の送信を行なう基地局装置の制御プログラムであって、
前記移動局装置に対して信号の受信を行なうことを要求する１個以上の要素周波数帯域を示すコマンドの生成を行なう処理と、
生成されたコマンドを前記移動局装置に対して送信する処理と、
前記移動局装置から複数の要素周波数帯域で受信された信号に含まれるデータに対する肯定応答および／または否定応答を少なくとも示す制御情報に対応する符号語を含む信号を受信する処理と、
複数の符号語から構成される符号語表であって、異なる種類の複数の符号語表の中から受信された信号が含む符号語を検出する処理と、
検出された符号語が属する符号語表の種類に基づいて前記移動局装置が信号の受信を行なうことが要求される１個以上の要素周波数帯域を変更したか否かを判断する処理と、を含む一連の処理を、コンピュータに読み取り可能および実行可能にコマンド化したことを特徴とする制御プログラム。
【発明の詳細な説明】
【技術分野】
【０００１】
本発明は、複数の移動局装置と基地局装置から構成される無線通信システムにおいて、上りリンクの信号を制御し、移動局装置と基地局装置間で適切な通信を行なうことができない状況を早急に復旧させることができる移動局装置、基地局装置、通信方法、集積回路、無線通信システムおよび制御プログラムに関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、ＬＴＥでは、移動局装置から基地局装置への無線通信（上りリンク）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。
【０００３】
３ＧＰＰでは、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と呼称する。）が検討されている。ＬＴＥ−Ａでは、ＬＴＥとの後方互換性(backward compatibility)を実現することが求められている。ＬＴＥ−Ａに対応した基地局装置がＬＴＥ−Ａに対応した移動局装置およびＬＴＥに対応した移動局装置の両方の移動局装置と同時に通信を行うこと、ＬＴＥ−Ａに対応した移動局装置がＬＴＥ−Ａに対応した基地局装置およびＬＴＥに対応した基地局装置と通信を行なうことを実現することがＬＴＥ−Ａに対して要求され、その要求を実現するためにＬＴＥ−ＡではＬＴＥと同一のチャネル構造を少なくともサポートすることが検討されている。チャネルとは、信号の送信の用いられる媒体を意味し、チャネルの種類としては、下りリンクのデータの送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）、上りリンクのデータの送受信に用いられる物理上りリンク共用チャネル（Physical Uplink Shared CHannel: PUSCH）、上りリンクの制御情報の送受信に用いられる物理上りリンク制御チャネル（Physical Uplink Control CHannel: PUCCH）、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等がある。
【０００４】
ＬＴＥ−Ａでは、ＬＴＥと同一のチャネル構造の周波数帯域（以下、「コンポーネントキャリア（Component Carrier; CC）」と呼称する。要素周波数帯域とも呼称する。）を複数用いて、１つの周波数帯域（広帯域な周波数帯域）として使用する技術（周波数帯域集約；Spectrum aggregation、Carrier aggregation、Frequency aggregation等とも呼称する。）が検討されている。具体的には、周波数帯域集約を用いた通信では、下りリンクのコンポーネントキャリア（以降、下りリンクコンポーネントキャリアと呼称する。）毎に、下りリンクのチャネルが送受信され、上りリンクのコンポーネントキャリア（以降、上りリンクコンポーネントキャリアと呼称する。）毎に上りリンクのチャネルが送受信される。つまり、周波数帯域集約は、上りリンクと下りリンクにおいて、基地局装置と複数の移動局装置が複数のコンポーネントキャリアを用いて複数のチャネルで信号を同時に送受信する技術である。
【０００５】
また、ＬＴＥ−Ａの周波数帯域集約を用いた通信では、基地局装置は移動局装置に対して通信に用いる複数の下りリンクコンポーネントキャリアを構成し、構成された複数の下りリンクコンポーネントキャリアにおいて移動局装置に対して信号の受信を行なわせるか、否かを制御する技術（コンポーネントキャリア活性化／非活性化；CC activation/deactivation）が検討されている（非特許文献１）。基地局装置は、移動局装置に構成した複数の下りリンクコンポーネントキャリアのそれぞれに対して活性なコンポーネントキャリア（以下、Activated CCと呼称する。）と設定するか、非活性なコンポーネントキャリア（以下、Deactivated CCと呼称する。）と設定するかを示すコマンド（以下、Activation/deactivation commandと呼称する。）を移動局装置に送信する。
【０００６】
Ａｃｔｉｖａｔｉｏｎ／ｄｅａｃｔｉｖａｔｉｏｎ  ｃｏｍｍａｎｄを受信した移動局装置は、Ａｃｔｉｖａｔｅｄ  ＣＣと示された下りリンクコンポーネントキャリアにおいて信号の受信を行い、Ｄｅａｃｔｉｖａｔｅｄ  ＣＣと示された下りリンクコンポーネントキャリアにおいては信号の受信を行なわない。移動局装置は、Ａｃｔｉｖａｔｉｏｎ／ｄｅａｃｔｉｖａｔｉｏｎ  ｃｏｍｍａｎｄを新たに検出するまで、Ａｃｔｉｖａｔｅｄ  ＣＣとＤｅａｃｔｉｖａｔｅｄ  ＣＣの設定を維持する。例えば、基地局装置は、移動局装置に対するバッファに蓄積されたデータ量に応じてＡｃｔｉｖａｔｅｄ  ＣＣ数を制御し、データ量が多い場合に多い数の下りリンクコンポーネントキャリアをＡｃｔｉｖａｔｅｄ  ＣＣに設定して移動局装置にデータを含む信号を多い数の下りリンクコンポーネントキャリアを用いて送信し、データ量が少ない場合に少ない数の下りリンクコンポーネントキャリアをＡｃｔｉｖａｔｅｄ  ＣＣに設定して移動局装置にデータを含む信号を少ない数の下りリンクコンポーネントキャリアを用いて送信する。移動局装置は、Ｄｅａｃｔｉｖａｔｅｄ  ＣＣに設定された下りリンクコンポーネントキャリアに対しては受信動作を行なう必要がないため、関連する処理部の電源供給を停止して消費電力を低減することができる。移動局装置は、Ａｃｔｉｖａｔｉｏｎ／ｄｅａｃｔｉｖａｔｉｏｎ  ｃｏｍｍａｎｄに基づいて下りリンクコンポーネントキャリアの受信動作のＯＮ／ＯＦＦのみを制御し、各下りリンクコンポーネントキャリアの受信動作に関わるパラメータについては基地局装置より下りリンクコンポーネントキャリアを再構成されるまで設定を維持する。
【０００７】
また、ＬＴＥ−Ａでは、ＣＣ  ａｃｔｉｖａｔｉｏｎ／ｄｅａｃｔｉｖａｔｉｏｎを用いた場合の無線通信システムにおいて、移動局装置がＡｃｔｉｖａｔｅｄ  ＣＣで受信されたデータの誤り結果（肯定応答／否定応答；Ａｃｋｎｏｗｌｅｄｇｅｍｅｎｔ／Ｎｅｇａｔｉｖｅ  Ａｃｋｎｏｗｌｅｄｇｅｍｅｎｔ、またはＡＣＫ／ＮＡＣＫと呼称する。）を基地局装置に示す方法が検討されている（非特許文献２）。また、誤り結果は、Ａｃｔｉｖａｔｅｄ  ＣＣの下りリンクコンポーネントキャリアで検出されたデータが正しく復号されたことを示す肯定応答、Ａｃｔｉｖａｔｅｄ  ＣＣの下りリンクコンポーネントキャリアで検出されたデータが正しく復号されず、誤りを含むことを示す否定応答以外に、Ａｃｔｉｖａｔｅｄ  ＣＣの下りリンクコンポーネントキャリアでデータが検出されなかったことを示す情報（Discontinuous transmission: DTXと呼称する。）も含む。
【０００８】
移動局装置は、各Ａｃｔｉｖａｔｅｄ  ＣＣの下りリンクコンポーネントキャリアで受信されたデータの誤り結果の組合せと対応する符号語（Codewordと呼称する。）を含む信号を基地局装置に送信する。移動局装置は、複数の符号語から構成される符号語表（Codeword tableと呼称する。）の中から各Ａｃｔｉｖａｔｅｄ  ＣＣの下りリンクコンポーネントキャリアで受信されたデータの誤り結果の組合せと対応する符号語を選択する。また、符号語表は複数の符号帳（Codebookと呼称する。）から構成され、符号帳は複数の符号語から構成され、Ａｃｔｉｖａｔｅｄ  ＣＣの下りリンクコンポーネントキャリアの数毎に異なる符号帳が対応し、符号帳を構成する符号語の数はＡｃｔｉｖａｔｅｄ  ＣＣの下りリンクコンポーネントキャリアの数に依存する。移動局装置は、Ａｃｔｉｖａｔｉｏｎ／ｄｅａｃｔｉｖａｔｉｏｎ  ｃｏｍｍａｎｄを検出し、検出されたＡｃｔｉｖａｔｉｏｎ／ｄｅａｃｔｉｖａｔｉｏｎ  ｃｏｍｍａｎｄで間接的に示されるＡｃｔｉｖａｔｅｄ  ＣＣの下りリンクコンポーネントキャリアの数に応じて対応する符号帳を選択し、各Ａｃｔｉｖａｔｅｄ  ＣＣの下りリンクコンポーネントキャリアのデータの誤り結果の組合せに応じて選択された符号帳に属する符号語を選択し、上りリンク制御チャネルで信号を送信する。
【０００９】
なお、移動局装置が各Ａｃｔｉｖａｔｅｄ  ＣＣの下りリンクコンポーネントキャリアで受信されたデータの誤り結果の組合せと対応する符号語を、要求品質を満足して送信することができるように、ＬＴＥの物理上りリンク制御チャネルの信号構成とは異なる新しい信号構成をＬＴＥ−Ａで導入することが検討されている（非特許文献３）。基本的には、物理上りリンク共用チャネルに用いられる信号構成を流用し、セル固有のスクランブリングを用いた信号構成が検討されている。
【００１０】
移動局装置は、Ａｃｔｉｖａｔｉｏｎ／ｄｅａｃｔｉｖａｔｉｏｎ  ｃｏｍｍａｎｄに対しても通常のデータと同様に誤り結果を含む信号を基地局装置に送信する。基地局装置は、Ａｃｔｉｖａｔｉｏｎ／ｄｅａｃｔｉｖａｔｉｏｎ  ｃｏｍｍａｎｄを物理下りリンク共用チャネルで送信した場合、移動局装置が下りリンクで受信されたデータの誤り結果の送信に用いる予定の上りリンクの無線リソースに対して信号の検出を先ず行なう。基地局装置は信号を検出した場合、検出された信号がＡｃｔｉｖａｔｉｏｎ／ｄｅａｃｔｉｖａｔｉｏｎ  ｃｏｍｍａｎｄを含む物理下りリンク共用チャネルの誤り結果に対して肯定応答であるということを示していると判断したら移動局装置がＡｃｔｉｖａｔｅｄ  ＣＣとＤｅａｃｔｉｖａｔｅｄ  ＣＣの設定を変更したと認識し、検出された信号がＡｃｔｉｖａｔｉｏｎ／ｄｅａｃｔｉｖａｔｉｏｎ  ｃｏｍｍａｎｄを含む物理下りリンク共用チャネルの誤り結果に対して否定応答であるということを示していると判断したら移動局装置がＡｃｔｉｖａｔｅｄ  ＣＣとＤｅａｃｔｉｖａｔｅｄ  ＣＣの設定を変更していないと認識し、検出された信号がＡｃｔｉｖａｔｉｏｎ／ｄｅａｃｔｉｖａｔｉｏｎ  ｃｏｍｍａｎｄを含む物理下りリンク共用チャネルの誤り結果に対してＤＴＸであるということを示していると判断したら移動局装置がＡｃｔｉｖａｔｅｄ  ＣＣとＤｅａｃｔｉｖａｔｅｄ  ＣＣの設定を変更していないと認識する。また、基地局装置は、移動局装置が下りリンクで受信されたデータの誤り結果の送信に用いる予定の上りリンクの無線リソースにおいて信号を検出しなかった場合、移動局装置がＡｃｔｉｖａｔｅｄ  ＣＣとＤｅａｃｔｉｖａｔｅｄ  ＣＣの設定を変更していないと認識する。なお、移動局装置は、下りリンクの何れのＡｃｔｉｖａｔｅｄ  ＣＣの下りリンクコンポーネントキャリアでも信号を検出しなかった場合、下りリンクで受信されたデータの誤り結果を送信する必要がないため、その誤り結果を含む信号は送信しない。
【先行技術文献】
【非特許文献】
【００１１】
【非特許文献１】3GPP TSG RAN2 #69、San Francisco、U.S.A.、22 - 26 February、2010、R2-101076“Explicit Activation and Deactivation”
【非特許文献２】3GPP TSG RAN1 #60、San Francisco、U.S.A.、22 - 26 February、2010、R1-100845“On PUCCH Resource Allocation for Carrier Aggregation”
【非特許文献３】3GPP TSG RAN1 #60、San Francisco、U.S.A.、22 - 26 February、2010、R1-100909“A/N transmission in the uplink for carrier aggregation”
【発明の概要】
【発明が解決しようとする課題】
【００１２】
しかしながら、基地局装置は、伝搬路変動の影響、雑音の影響、干渉の影響のせいで移動局装置から送信された信号が含む情報を誤って認識してしまう場合がある。例えば、移動局装置が、Ａｃｔｉｖａｔｉｏｎ／ｄｅａｃｔｉｖａｔｉｏｎ  ｃｏｍｍａｎｄを含む物理下りリンク共用チャネルを正しく復号できず、否定応答を示す信号を基地局装置に対して送信するが、基地局装置は移動局装置から送信された信号が肯定応答を示していると間違って判断する場合がある。例えば、移動局装置が、Ａｃｔｉｖａｔｉｏｎ／ｄｅａｃｔｉｖａｔｉｏｎ  ｃｏｍｍａｎｄを含む物理下りリンク共用チャネルを検出できず、ＤＴＸを示す信号を送信するが、基地局装置は移動局装置から送信された信号が肯定応答を示していると間違って判断する場合がある。例えば、移動局装置が下りリンクの何れのＡｃｔｉｖａｔｅｄ  ＣＣの下りリンクコンポーネントキャリアでも信号を検出せず、上りリンクで誤り結果を含む信号を送信しないが、基地局装置は移動局装置が下りリンクで受信されたデータの誤り結果の送信に用いる予定の上りリンクの無線リソースに対して移動局装置から信号が送信されたと間違って判断し、且つその信号が肯定応答を示していると間違って判断する場合がある。
【００１３】
そのような場合、基地局装置と移動局装置間でＡｃｔｉｖａｔｅｄ  ＣＣとＤｅａｃｔｉｖａｔｅｄ  ＣＣの設定の解釈に不一致が生じ、不一致が生じたタイミング以降に移動局素装置から送信された符号語が意味する内容に関しても基地局装置と移動局装置間で不一致が生じ、適切な通信を行なうことができないという問題があった。
【００１４】
本発明は上記の点に鑑みてなされたものであり、その目的は、ＣＣ  ａｃｔｉｖａｔｉｏｎ／ｄｅａｃｔｉｖａｔｉｏｎを用いた無線通信システムにおいて、移動局装置と基地局装置間の関連する設定の不一致を早急に復旧させることができる移動局装置、基地局装置、通信方法、集積回路、無線通信システムおよび制御プログラムを提供することを目的とする。
【課題を解決するための手段】
【００１５】
（１）上記の目的を達成するために、本発明は、以下のような手段を講じた。すなわち、本発明の移動局装置は、複数の移動局装置および前記複数の移動局装置と信号の送受信を行なう基地局装置から構成される無線通信システムに適用され、予め定められた周波数帯域幅を有する要素周波数帯域を１個以上用いて信号の受信を行なう移動局装置であって、各要素周波数帯域で受信された信号に含まれるデータに対する肯定応答および／または否定応答を少なくとも示す制御情報を生成する応答生成部と、前記応答生成部で生成された制御情報に対応する符号語を符号語表から選択する符号語選択部と、信号の受信を行なうことが要求される１個以上の要素周波数帯域を示すコマンドの検出を行なうコマンド検出部と、前記コマンド検出部でコマンドが検出される毎に異なる種類の符号語表を前記符号語選択部に対して設定する符号語表設定部と、を備えることを特徴とする。
【００１６】
このように、Ａｃｔｉｖａｔｉｏｎ／ｄｅａｃｔｉｖａｔｉｏｎ  ｃｏｍｍａｎｄを検出する毎に異なる種類の符号語表を設定し、設定された符号語表の中から各Ａｃｔｉｖａｔｅｄ  ＣＣである下りリンク要素周波数帯域で受信された信号に含まれるデータに対するＡＣＫおよび／またはＮＡＣＫおよび／またはＤＴＸに対応する符号語を選択することにより、基地局装置は移動局装置のＡｃｔｉｖａｔｅｄ  ＣＣ、Ｄｅａｃｔｉｖａｔｅｄ  ＣＣの設定の誤りを早急に検出することができ、移動局装置と基地局装置間のＡｃｔｉｖａｔｅｄ  ＣＣ、Ｄｅａｃｔｉｖａｔｅｄ  ＣＣの設定の不一致を早急に復旧させることが可能となる。
【００１７】
（２）また、本発明の移動局装置において、前記符号語表は、複数の符号帳から構成され、各符号帳は、信号の受信を行なうことが要求される要素周波数帯の数がそれぞれ同じ場合に用いられる符号語の集合から構成されることを特徴とする。
【００１８】
このように、Ａｃｔｉｖａｔｅｄ  ＣＣの数に応じた符号帳のみから符号語表を構成するので、Ａｃｔｉｖａｔｅｄ  ＣＣの数だけでなく、構成された下りリンク要素周波数帯域のＡｃｔｉｖａｔｅｄ  ＣＣの位置に対応した符号帳を構成する場合と比較して、基地局装置は検出対象とする符号語を少なくすることができ、第二の物理上りリンク制御チャネルの信号の検出特性を向上させることが可能となる。
【００１９】
（３）また、本発明の基地局装置は、複数の移動局装置および前記複数の移動局装置と信号の送受信を行なう基地局装置から構成される無線通信システムに適用され、予め定められた周波数帯域幅を有する要素周波数帯域を１個以上用いて信号の送信を行なう基地局装置であって、前記移動局装置に対して信号の受信を行なうことを要求する１個以上の要素周波数帯域を示すコマンドの生成を行なうコマンド生成部と、前記コマンド生成部で生成されたコマンドを前記移動局装置に対して送信する送信処理部と、前記移動局装置から複数の要素周波数帯域で受信された信号に含まれるデータに対する肯定応答および／または否定応答を少なくとも示す制御情報に対応する符号語を含む信号を受信する受信処理部と、複数の符号語から構成される符号語表であって、異なる種類の複数の符号語表の中から前記受信処理部で受信された信号が含む符号語を検出する符号語検出部と、前記符号語検出部で検出された符号語が属する符号語表の種類に基づいて前記移動局装置が信号の受信を行なうことが要求される１個以上の要素周波数帯域を変更したか否かを判断する受信要素周波数帯域変更判断部と、を備えることを特徴とする。
【００２０】
このように、検出された符号語を含む符号語表の種類を検出することにより、移動局装置のＡｃｔｉｖａｔｅｄ  ＣＣ、Ｄｅａｃｔｉｖａｔｅｄ  ＣＣの設定の誤りを早急に検出することができ、移動局装置と基地局装置間のＡｃｔｉｖａｔｅｄ  ＣＣ、Ｄｅａｃｔｉｖａｔｅｄ  ＣＣの設定の不一致を早急に復旧させることが可能となる。
【００２１】
（４）また、本発明の基地局装置において、前記受信要素周波数帯域変更判断部は、前記符号語検出部で検出された符号語が、前回検出された符号語を含む符号語表の種類に対して異なる種類の符号語表に属する符号語である場合に前記移動局装置が信号の受信を行なうことが要求される１個以上の要素周波数帯域を変更したと判断し、前回検出された符号語を含む符号語表の種類に対して同じ種類の符号語表に属する符号語である場合に前記移動局装置が信号の受信を行なうことが要求される１個以上の要素周波数帯域を変更していないと判断することを特徴とする。
【００２２】
このように、検出された符号語を含む符号語表が前回検出された符号語を含む符号語表と異なる種類の符号語表の場合は移動局装置がＡｃｔｉｖａｔｅｄ  ＣＣ、Ｄｅａｃｔｉｖａｔｅｄ  ＣＣの設定を変更したと判断し、検出された符号語を含む符号語表が前回検出された符号語を含む符号語表と同じ種類の符号語表の場合は移動局装置がＡｃｔｉｖａｔｅｄ  ＣＣ、Ｄｅａｃｔｉｖａｔｅｄ  ＣＣの設定を変更していないと判断することにより、移動局装置のＡｃｔｉｖａｔｅｄ  ＣＣ、Ｄｅａｃｔｉｖａｔｅｄ  ＣＣの設定の誤りを早急に検出することができ、移動局装置と基地局装置間のＡｃｔｉｖａｔｅｄ  ＣＣ、Ｄｅａｃｔｉｖａｔｅｄ  ＣＣの設定の不一致を早急に復旧させることが可能となる。
【００２３】
（５）また、本発明の基地局装置において、前記符号語表は、複数の符号帳から構成され、各符号帳は、前記移動局装置において信号の受信を行なうことが要求される要素周波数帯の数がそれぞれ同じ場合に用いられる符号語の集合から構成され、前記符号語検出部は、前回検出された符号語が属する符号帳と、前回検出された符号語が属する符号語表とは異なる種類の符号語表の中から前記受信処理部で受信された信号が含む符号語を検出することを特徴とする。
【００２４】
このように、前回検出された符号語が属する符号帳と、前回検出された符号語が属する符号語表とは異なる種類の符号語表の中から第二の物理上りリンク制御チャネルの信号が示す符号語を検出することにより、各符号語表の全ての符号語ではなく、可能性のある符号語に検出対象を絞り込むことができ、符号語の検出特性を向上させることが可能となる。
【００２５】
（６）また、本発明の通信方法は、複数の移動局装置および前記複数の移動局装置と信号の送受信を行なう基地局装置から構成される無線通信システムに適用され、予め定められた周波数帯域幅を有する要素周波数帯域を１個以上用いて信号の受信を行なう通信方法であって、前記移動局装置において、
各要素周波数帯域で受信された信号に含まれるデータに対する肯定応答および／または否定応答を少なくとも示す制御情報を生成するステップと、生成された制御情報に対応する符号語を符号語表から選択するステップと、信号の受信を行なうことが要求される１個以上の要素周波数帯域を示すコマンドの検出を行なうステップと、コマンドが検出される毎に異なる種類の符号語表を設定するステップと、を少なくとも含むことを特徴とする。
【００２６】
このように、Ａｃｔｉｖａｔｉｏｎ／ｄｅａｃｔｉｖａｔｉｏｎ  ｃｏｍｍａｎｄを検出する毎に異なる種類の符号語表を設定し、設定された符号語表の中から各Ａｃｔｉｖａｔｅｄ  ＣＣである下りリンク要素周波数帯域で受信された信号に含まれるデータに対するＡＣＫおよび／またはＮＡＣＫおよび／またはＤＴＸに対応する符号語を選択することにより、基地局装置は移動局装置のＡｃｔｉｖａｔｅｄ  ＣＣ、Ｄｅａｃｔｉｖａｔｅｄ  ＣＣの設定の誤りを早急に検出することができ、移動局装置と基地局装置間のＡｃｔｉｖａｔｅｄ  ＣＣ、Ｄｅａｃｔｉｖａｔｅｄ  ＣＣの設定の不一致を早急に復旧させることができる。
【００２７】
（７）また、本発明の通信方法は、複数の移動局装置および前記複数の移動局装置と信号の送受信を行なう基地局装置から構成される無線通信システムに適用され、予め定められた周波数帯域幅を有する要素周波数帯域を１個以上用いて信号の送信を行なう通信方法であって、前記基地局装置において、  前記移動局装置に対して信号の受信を行なうことを要求する１個以上の要素周波数帯域を示すコマンドの生成を行なうステップと、生成されたコマンドを前記移動局装置に対して送信するステップと、前記移動局装置から複数の要素周波数帯域で受信された信号に含まれるデータに対する肯定応答および／または否定応答を少なくとも示す制御情報に対応する符号語を含む信号を受信するステップと、複数の符号語から構成される符号語表であって、異なる種類の複数の符号語表の中から受信された信号が含む符号語を検出するステップと、検出された符号語が属する符号語表の種類に基づいて前記移動局装置が信号の受信を行なうことが要求される１個以上の要素周波数帯域を変更したか否かを判断するステップと、を少なくとも含むことを特徴とする。
【００２８】
このように、検出された符号語を含む符号語表の種類を検出することにより、移動局装置のＡｃｔｉｖａｔｅｄ  ＣＣ、Ｄｅａｃｔｉｖａｔｅｄ  ＣＣの設定の誤りを早急に検出することができ、移動局装置と基地局装置間のＡｃｔｉｖａｔｅｄ  ＣＣ、Ｄｅａｃｔｉｖａｔｅｄ  ＣＣの設定の不一致を早急に復旧させることが可能となる。
【００２９】
（８）また、本発明の集積回路は、移動局装置に実装されることにより、前記移動局装置に複数の機能を発揮させる集積回路であって、  基地局装置より、予め定められた周波数帯域幅を有する要素周波数帯域を１個以上用いて信号の受信を行なう機能と、各要素周波数帯域で受信された信号に含まれるデータに対する肯定応答および／または否定応答を少なくとも示す制御情報を生成する機能と、生成された制御情報に対応する符号語を符号語表から選択する機能と、信号の受信を行なうことが要求される１個以上の要素周波数帯域を示すコマンドの検出を行なう機能と、コマンドが検出される毎に異なる種類の符号語表を前記符号語選択部に対して設定する機能と、を含む一連の機能を、前記移動局装置に発揮させることを特徴とする。
【００３０】
このように、Ａｃｔｉｖａｔｉｏｎ／ｄｅａｃｔｉｖａｔｉｏｎ  ｃｏｍｍａｎｄを検出する毎に異なる種類の符号語表を設定し、設定された符号語表の中から各Ａｃｔｉｖａｔｅｄ  ＣＣである下りリンク要素周波数帯域で受信された信号に含まれるデータに対するＡＣＫおよび／またはＮＡＣＫおよび／またはＤＴＸに対応する符号語を選択することにより、基地局装置は移動局装置のＡｃｔｉｖａｔｅｄ  ＣＣ、Ｄｅａｃｔｉｖａｔｅｄ  ＣＣの設定の誤りを早急に検出することができ、移動局装置と基地局装置間のＡｃｔｉｖａｔｅｄ  ＣＣ、Ｄｅａｃｔｉｖａｔｅｄ  ＣＣの設定の不一致を早急に復旧させることが可能となる。
【００３１】
（９）また、本発明の集積回路は、基地局装置に実装されることにより、前記基地局装置に複数の機能を発揮させる集積回路であって、  移動局装置に対して、予め定められた周波数帯域幅を有する要素周波数帯域を１個以上用いて信号の送信を行なう機能と、前記移動局装置に対して信号の受信を行なうことを要求する１個以上の要素周波数帯域を示すコマンドの生成を行なう機能と、生成されたコマンドを前記移動局装置に対して送信する機能と、前記移動局装置から複数の要素周波数帯域で受信された信号に含まれるデータに対する肯定応答および／または否定応答を少なくとも示す制御情報に対応する符号語を含む信号を受信する機能と、複数の符号語から構成される符号語表であって、異なる種類の複数の符号語表の中から受信された信号が含む符号語を検出する機能と、検出された符号語が属する符号語表の種類に基づいて前記移動局装置が信号の受信を行なうことが要求される１個以上の要素周波数帯域を変更したか否かを判断する機能と、を含む一連の機能を、前記基地局装置に発揮させることを特徴とする。
【００３２】
このように、検出された符号語を含む符号語表の種類を検出することにより、移動局装置のＡｃｔｉｖａｔｅｄ  ＣＣ、Ｄｅａｃｔｉｖａｔｅｄ  ＣＣの設定の誤りを早急に検出することができ、移動局装置と基地局装置間のＡｃｔｉｖａｔｅｄ  ＣＣ、Ｄｅａｃｔｉｖａｔｅｄ  ＣＣの設定の不一致を早急に復旧させることが可能となる。
【００３３】
（１０）また、本発明の無線通信システムは、複数の移動局装置および前記複数の移動局装置と予め定められた周波数帯域幅を有する要素周波数帯域を１個以上用いて信号の送受信を行なう基地局装置から構成される無線通信システムであって、前記基地局装置は、前記移動局装置に対して信号の受信を行なうことを要求する１個以上の要素周波数帯域を示すコマンドの生成を行なうコマンド生成部と、前記コマンド生成部で生成されたコマンドを前記移動局装置に対して送信する送信処理部と、前記移動局装置から複数の要素周波数帯域で受信された信号に含まれるデータに対する肯定応答および／または否定応答を少なくとも示す制御情報に対応する符号語を含む信号を受信する受信処理部と、複数の符号語から構成される符号語表であって、異なる種類の複数の符号語表の中から前記受信処理部で受信された信号が含む符号語を検出する符号語検出部と、前記符号語検出部で検出された符号語が属する符号語表の種類に基づいて前記移動局装置が信号の受信を行なうことが要求される１個以上の要素周波数帯域を変更したか否かを判断する受信要素周波数帯域変更判断部と、を備え、前記移動局装置は、各要素周波数帯域で受信された信号に含まれるデータに対する肯定応答および／または否定応答を少なくとも示す制御情報を生成する応答生成部と、前記応答生成部で生成された制御情報に対応する符号語を符号語表から選択する符号語選択部と、信号の受信を行なうことが要求される１個以上の要素周波数帯域を示すコマンドの検出を行なうコマンド検出部と、前記コマンド検出部でコマンドが検出される毎に異なる種類の符号語表を前記符号語選択部に対して設定する符号語表設定部と、を備えることを特徴とする。
【００３４】
このように、移動局装置はＡｃｔｉｖａｔｉｏｎ／ｄｅａｃｔｉｖａｔｉｏｎ  ｃｏｍｍａｎｄを検出する毎に異なる種類の符号語表を設定し、設定された符号語表の中から各Ａｃｔｉｖａｔｅｄ  ＣＣである下りリンク要素周波数帯域で受信された信号に含まれるデータに対するＡＣＫおよび／またはＮＡＣＫおよび／またはＤＴＸに対応する符号語を選択し、基地局装置は検出された符号語を含む符号語表の種類を検出することにより、基地局装置は移動局装置のＡｃｔｉｖａｔｅｄ  ＣＣ、Ｄｅａｃｔｉｖａｔｅｄ  ＣＣの設定の誤りを早急に検出することができ、移動局装置と基地局装置間のＡｃｔｉｖａｔｅｄ  ＣＣ、Ｄｅａｃｔｉｖａｔｅｄ  ＣＣの設定の不一致を早急に復旧させることが可能となる。
【００３５】
（１１）また、本発明の制御プログラムは、複数の移動局装置および前記複数の移動局装置と信号の送受信を行なう基地局装置から構成される無線通信システムに適用され、予め定められた周波数帯域幅を有する要素周波数帯域を１個以上用いて信号の受信を行なう移動局装置の制御プログラムであって、  各要素周波数帯域で受信された信号に含まれるデータに対する肯定応答および／または否定応答を少なくとも示す制御情報を生成する処理と、生成された制御情報に対応する符号語を符号語表から選択する処理と、信号の受信を行なうことが要求される１個以上の要素周波数帯域を示すコマンドの検出を行なう処理と、コマンドが検出される毎に異なる種類の符号語表を前記符号語選択部に対して設定する処理と、を含む一連の処理を、コンピュータに読み取り可能および実行可能にコマンド化したことを特徴とする。
【００３６】
このように、Ａｃｔｉｖａｔｉｏｎ／ｄｅａｃｔｉｖａｔｉｏｎ  ｃｏｍｍａｎｄを検出する毎に異なる種類の符号語表を設定し、設定された符号語表の中から各Ａｃｔｉｖａｔｅｄ  ＣＣである下りリンク要素周波数帯域で受信された信号に含まれるデータに対するＡＣＫおよび／またはＮＡＣＫおよび／またはＤＴＸに対応する符号語を選択することにより、基地局装置は移動局装置のＡｃｔｉｖａｔｅｄ  ＣＣ、Ｄｅａｃｔｉｖａｔｅｄ  ＣＣの設定の誤りを早急に検出することができ、移動局装置と基地局装置間のＡｃｔｉｖａｔｅｄ  ＣＣ、Ｄｅａｃｔｉｖａｔｅｄ  ＣＣの設定の不一致を早急に復旧させることが可能となる。
【００３７】
（１２）また、本発明の制御プログラムは、複数の移動局装置および前記複数の移動局装置と信号の送受信を行なう基地局装置から構成される無線通信システムに適用され、予め定められた周波数帯域幅を有する要素周波数帯域を１個以上用いて信号の送信を行なう基地局装置の制御プログラムであって、  前記移動局装置に対して信号の受信を行なうことを要求する１個以上の要素周波数帯域を示すコマンドの生成を行なう処理と、生成されたコマンドを前記移動局装置に対して送信する処理と、前記移動局装置から複数の要素周波数帯域で受信された信号に含まれるデータに対する肯定応答および／または否定応答を少なくとも示す制御情報に対応する符号語を含む信号を受信する処理と、複数の符号語から構成される符号語表であって、異なる種類の複数の符号語表の中から受信された信号が含む符号語を検出する処理と、検出された符号語が属する符号語表の種類に基づいて前記移動局装置が信号の受信を行なうことが要求される１個以上の要素周波数帯域を変更したか否かを判断する処理と、を含む一連の処理を、コンピュータに読み取り可能および実行可能にコマンド化したことを特徴とする。
【００３８】
このように、検出された符号語を含む符号語表の種類を検出することにより、移動局装置のＡｃｔｉｖａｔｅｄ  ＣＣ、Ｄｅａｃｔｉｖａｔｅｄ  ＣＣの設定の誤りを早急に検出することができ、移動局装置と基地局装置間のＡｃｔｉｖａｔｅｄ  ＣＣ、Ｄｅａｃｔｉｖａｔｅｄ  ＣＣの設定の不一致を早急に復旧させることが可能となる。
【発明の効果】
【００３９】
この発明によれば、移動局装置と基地局装置間のＣＣ  ａｃｔｉｖａｔｉｏｎ／ｄｅａｃｔｉｖａｔｉｏｎに関連する設定の不一致を早急に復旧させることができる。
【図面の簡単な説明】
【００４０】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る移動局装置５の構成を示す概略ブロック図である。
【図５】本発明の実施形態に係る移動局装置５の受信処理部４０１の構成を示す概略ブロック図である。
【図６】本発明の実施形態に係る移動局装置５の送信処理部４０７の構成を示す概略ブロック図である。
【図７】本発明の実施形態におけるＡｃｔｉｖａｔｉｏｎ／ｄｅａｃｔｉｖａｔｉｏｎ  ｃｏｍｍａｎｄの構成を示す図である。
【図８】本発明の実施形態に係る移動局装置５において３個の下りリンク要素周波数帯域が構成された場合に用いられるＡｃｔｉｖａｔｉｏｎ／ｄｅａｃｔｉｖａｔｉｏｎ  ｃｏｍｍａｎｄの構成を示す図である。
【図９】本発明の実施形態におけるＡｃｔｉｖａｔｅｄ  ＣＣの数が２個の場合のＡｃｔｉｖａｔｅｄ  ＣＣで受信された信号に含まれるデータに対するＡＣＫおよび／またはＮＡＣＫおよび／またはＤＴＸを示す制御情報を示す図である。
【図１０】本発明の実施形態におけるＡｃｔｉｖａｔｅｄ  ＣＣの数が３個の場合のＡｃｔｉｖａｔｅｄ  ＣＣで受信された信号に含まれるデータに対するＡＣＫおよび／またはＮＡＣＫおよび／またはＤＴＸを示す制御情報を示す図である。
【図１１】本発明の実施形態に係る移動局装置５の符号語選択部４０５５で用いられる符号語表の概略構成例を示す図である。
【図１２】本発明の実施形態における２個のＡｃｔｉｖａｔｅｄ  ＣＣに対応した符号帳を構成する符号語の例を示す図である。
【図１３】本発明の実施形態における３個のＡｃｔｉｖａｔｅｄ  ＣＣに対応した符号帳を構成する符号語の例を示す図である。
【図１４】本発明の実施形態に係る移動局装置５の符号語表設定部４５５１が記憶している符号語表の例を示す概略図である。
【図１５】本発明の実施形態に係る移動局装置５の符号語表の設定の一例を示すフローチャートである。
【図１６】本発明の実施形態に係る基地局装置３の、移動局装置５がＡｃｔｉｖａｔｅｄ  ＣＣ、Ｄｅａｃｔｉｖａｔｅｄ  ＣＣの設定を変更したか否かを判断する処理の一例を示すフローチャートである。
【図１７】本発明の実施形態に係る無線通信システムの全体像についての概略を説明する図である。
【図１８】本発明の実施形態に係る基地局装置３から移動局装置５への下りリンクの無線フレームの概略構成を示す図である。
【図１９】本発明の実施形態に係る移動局装置５から基地局装置３への上りリンクの無線フレームの概略構成を示す図である。
【発明を実施するための形態】
【００４１】
以下、図面を参照しながら本発明の実施形態について詳しく説明する。まず、図１７〜図１９を用いて、本実施形態に係る無線通信システムの全体像、および無線フレームの構成について説明する。次に、図１〜図６を用いて、本実施形態に係る無線通信システムの構成について説明する。次に、図７〜図１６を用いて、本実施形態に係る無線通信システムの動作処理について説明する。
【００４２】
＜無線通信システムの全体像＞
図１７は、本発明の実施形態に係る無線通信システムの全体像についての概略を説明する図である。この図が示す無線通信システム１は、基地局装置３と、複数の移動局装置５Ａ、５Ｂ、５Ｃとが無線通信を行なう。また、この図は、基地局装置３から移動局装置５Ａ、５Ｂ、５Ｃへの通信方向である下りリンクが、下りリンクパイロットチャネル、物理下りリンク制御チャネル（PDCCH:Physical Downlink Control CHannelとも呼称する。）、および物理下りリンク共用チャネル（PDSCH:Physical Downlink Shared CHannelとも呼称する。）を含んで構成されることを示す。また、この図は、移動局装置５Ａ、５Ｂ、５Ｃから基地局装置３への通信方向である上りリンクが、物理上りリンク共用チャネル（PUSCH:PhysicalUplink Shared CHannelとも呼称する。）、上りリンクパイロットチャネル、および物理上りリンク制御チャネル（PUCCH:Physical Uplink Control CHannelとも呼称する。）を含んで構成されることを示す。また、基地局装置３が管轄するエリアのことをセルと呼ぶ。以下、本実施形態において、移動局装置５Ａ、５Ｂ、５Ｃを移動局装置５と呼び、説明を行なう。
【００４３】
＜下りリンク無線フレームの構成＞
図１８は、本発明の実施形態に係る基地局装置３から移動局装置５への下りリンクの無線フレーム（下りリンク無線フレームと呼称する。）の概略構成を示す図である。この図において、横軸は時間領域、縦軸は周波数領域を表している。下りリンク無線フレームは、無線リソース割り当てなどの単位であり、下りリンクの予め決められた幅の周波数帯および時間帯からなるリソースブロックのペア（下りリンクリソースブロックペアと呼称する。）から構成される。１個の下りリンクリソースブロックペアは下りリンクの時間領域で連続する２個のリソースブロック（下りリンクリソースブロックと呼称する。）から構成される。
【００４４】
また、この図において、１個の下りリンクリソースブロックは、下りリンクの周波数領域において１２個のサブキャリア（下りリンクサブキャリアと呼称する。）から構成され、時間領域において７個のＯＦＤＭシンボルから構成される。下りリンクのシステム帯域幅（下りリンクシステム帯域幅と呼称する。）は、基地局装置３の下りリンクの通信帯域幅であり、下りリンクの複数の要素周波数帯域幅（下りリンク要素周波数帯域幅と呼称する。）から構成される。無線通信システム１において、下りリンクの要素周波数帯域（下りリンク要素周波数帯域と呼称する。）は予め定められた周波数帯域幅の帯域であり、下りリンク要素周波数帯域幅は下りリンク要素周波数帯域の周波数帯域幅である。例えば、４０ＭＨｚの帯域幅の下りリンクのシステム帯域（下りリンクシステム帯域と呼称する。）は、２個の２０ＭＨｚの帯域幅の下りリンク要素周波数帯域から構成される。
【００４５】
なお、下りリンク要素周波数帯域では下りリンク要素周波数帯域幅に応じて複数の下りリンクリソースブロックが配置される。例えば、２０ＭＨｚの帯域幅の下りリンク要素周波数帯域は、１００個の下りリンクリソースブロックから構成される。また、例えば、下りリンク要素周波数帯域幅は、ＬＴＥに対応した移動局装置が通信に用いることができる周波数帯域幅であり、下りリンクシステム帯域幅はＬＴＥ−Ａに対応した移動局装置が通信に用いることができる周波数帯域幅である。
【００４６】
また、この図が示す時間領域においては、７個のＯＦＤＭシンボルから構成されるスロット（下りリンクスロットと呼称する。）、２個の下りリンクスロットから構成されるサブフレーム（下りリンクサブフレームと呼称する。）、１０個の下りリンクサブフレームから構成される下りリンク無線フレームがある。なお、１個の下りリンクサブキャリアと１個のＯＦＤＭシンボルから構成されるユニットをリソースエレメント（下りリンクリソースエレメント）と呼ぶ。各下りリンクサブフレームには少なくとも、情報データ（トランスポートブロック: Transport Blockとも呼称する。）の送信に用いられる物理下りリンク共用チャネル、制御情報の送信に用いられる物理下りリンク制御チャネルが配置される。この図においては、物理下りリンク制御チャネルは下りリンクサブフレームの１番目から３番目までのＯＦＤＭシンボルから構成され、物理下りリンク共用チャネルは下りリンクサブフレームの４番目から１４番目までのＯＦＤＭシンボルから構成される。
【００４７】
この図において図示は省略するが、参照信号（下りリンク参照信号と呼称する。）の送信に用いられる下りリンクパイロットチャネルが複数の下りリンクリソースエレメントに分散して配置される。ここで、下りリンク参照信号は、物理下りリンク共用チャネルおよび物理下りリンク制御チャネルの伝搬路変動の推定に用いられる、無線通信システム１において既知の信号である。
【００４８】
なお、１個の物理下りリンク共用チャネルは同一の下りリンク要素周波数帯域内の１個以上の下りリンクリソースブロックから構成され、１個の物理下りリンク制御チャネルは同一の下りリンク要素周波数帯域内の複数の下りリンクリソースエレメントから構成される。下りリンクシステム帯域内で複数の物理下りリンク共用チャネル、複数の物理下りリンク制御チャネルが配置される。基地局装置３は、ＬＴＥに対応した１つの移動局装置５に対して同一の下りリンクサブフレームで同一の下りリンク要素周波数帯域内で１個の物理下りリンク制御チャネルと１個の物理下りリンク共用チャネルを配置することができ、ＬＴＥ−Ａに対応した１つの移動局装置５に対して同一の下りリンクサブフレームで複数の物理下りリンク制御チャネルと複数の物理下りリンク共用チャネルを配置することができる。なお、基地局装置３は、ＬＴＥ−Ａに対応した１つの移動局装置５に対して同一の下りリンクサブフレームで、同一の下りリンク要素周波数帯域内で複数の物理下りリンク制御チャネルを配置することができるが、同一の下りリンク要素周波数帯域内で複数の物理下りリンク共用チャネルを配置することはできず、各物理下りリンク共用チャネルを異なる下りリンク要素周波数帯域に配置することはできる。
【００４９】
物理下りリンク制御チャネルは、物理下りリンク共用チャネルに対する下りリンクリソースブロックの割り当てを示す情報、物理上りリンク共用チャネルに対する上りリンクリソースブロックの割り当てを示す情報、移動局識別子（ＲＮＴＩ（Radio Network Temporary Identifier）とも呼称する。）、変調方式、符号化率、再送パラメータ、マルチアンテナ関連情報などの制御情報から生成された信号が配置される。物理下りリンク制御チャネルに含まれる制御情報を下りリンク制御情報（Downlink Control Information: DCI）と称す。物理下りリンク共用チャネルに対する下りリンクリソースブロックの割り当てを示す情報を含む下りリンク制御情報は下りリンクアサインメント（Downlink assignment、またDownlink grantとも呼称する。）（以降、物理下りリンク共用チャネルの無線リソース割り当ての情報と呼称する。）と称し、物理上りリンク共用チャネルに対する上りリンクリソースブロックの割り当てを示す情報を含む下りリンク制御情報は上りリンクグラント（上りリンクグラントと呼称する。Uplink grantとも呼称する。）（以降、物理上りリンク共用チャネルの無線リソース割り当ての情報と呼称する。）と称す。なお、１個の物理下りリンク制御チャネルは、１個の物理下りリンク共用チャネルの無線リソース割り当ての情報、または１個の物理上りリンク共用チャネルの無線リソース割り当ての情報しか含まず、複数の物理下りリンク共用チャネルの無線リソース割り当ての情報、または複数の物理上りリンク共用チャネルの無線リソース割り当ての情報を含まない。
【００５０】
＜上りリンク無線フレームの構成＞
図１９は、本発明の実施形態に係る移動局装置５から基地局装置３への上りリンクの無線フレーム（上りリンク無線フレームと呼称する。）の概略構成を示す図である。この図において、横軸は時間領域、縦軸は周波数領域を表している。上りリンク無線フレームは、無線リソース割り当てなどの単位であり、上りリンクの予め決められた幅の周波数帯および時間帯からなるリソースブロックのペア（上りリンクリソースブロックペアと呼称する。）から構成される。１個の上りリンクリソースブロックペアは、上りリンクの時間領域で連続する２個のリソースブロック（上りリンクリソースブロックと呼称する。）から構成される。
【００５１】
また、この図において、１個の上りリンクリソースブロックは、上りリンクの周波数領域において１２個のサブキャリア（上りリンクサブキャリアと呼称する。）から構成され、時間領域において７個のＳＣ−ＦＤＭＡシンボルから構成される。上りリンクのシステム帯域幅（上りリンクシステム帯域幅と呼称する。）は、基地局装置３の上りリンクの通信帯域幅であり、上りリンクの複数の要素周波数帯域幅（上りリンク要素周波数帯域幅と呼称する。）から構成される。無線通信システム１において、上りリンクの要素周波数帯域（上りリンク要素周波数帯域と呼称する。）は予め定められた周波数帯域幅の帯域であり、上りリンク要素周波数帯域幅は上りリンク要素周波数帯域の周波数帯域幅である。例えば、４０ＭＨｚの帯域幅の上りリンクのシステム帯域（上りリンクシステム帯域と呼称する。）は、２個の２０ＭＨｚの帯域幅の上りリンク要素周波数帯域から構成される。
【００５２】
なお、上りリンク要素周波数帯域では上りリンク要素周波数帯域幅に応じて複数の上りリンクリソースブロックが配置される。例えば、２０ＭＨｚの帯域幅の上りリンク要素周波数帯域は、１００個の上りリンクリソースブロックから構成される。また、例えば、上りリンク要素周波数帯域幅は、ＬＴＥに対応した移動局装置が通信に用いることができる周波数帯域幅であり、上りリンクシステム帯域幅はＬＴＥ−Ａに対応した移動局装置が通信に用いることができる周波数帯域幅である。
【００５３】
また、この図が示す時間領域においては、７個のＳＣ−ＦＤＭＡシンボルから構成されるスロット（上りリンクスロットと呼称する。）、２個の上りリンクスロットから構成されるサブフレーム（上りリンクサブフレームと呼称する。）、１０個の上りリンクサブフレームから構成される上りリンク無線フレームがある。なお、１個の上りリンクサブキャリアと１個のＳＣ−ＦＤＭＡシンボルから構成されるユニットをリソースエレメント（上りリンクリソースエレメントと呼称する。）と呼ぶ。
【００５４】
各上りリンクサブフレームには、少なくとも情報データの送信に用いられる物理上りリンク共用チャネル、制御情報の送信に用いられる物理上りリンク制御チャネルが配置され、物理上りリンク制御チャネルは第一の物理上りリンク制御チャネルと第二の物理上りリンク制御チャネルから構成される。第一の物理上りリンク制御チャネルは、周波数帯域集約を用いない場合の物理下りリンク共用チャネルに対する誤り結果である受信確認応答、またはスケジューリング要求、または下りリンクに対するチャネル品質指標からなる制御情報を送信するために用いられる。第二の物理上りリンク制御チャネルは、周波数帯域集約を用いた場合の物理下りリンク共用チャネルに対する誤り結果である受信確認応答からなる制御情報を送信するために用いられる。また、第一の物理上りリンク制御チャネルは、周波数帯域集約を用いない場合の受信確認応答からなる制御情報を送信する場合と、スケジューリング要求からなる制御情報を送信する場合とチャネル品質指標からなる制御情報を送信する場合とで異なる種類の信号構成が用いられる。また、第一の物理上りリンク制御チャネルと第二の物理上りリンク制御チャネルの信号構成は異なる。本発明は、周波数帯域集約を用いた場合の物理下りリンク共用チャネルに対する誤り結果である受信確認応答を送信するために用いられる第二の物理上りリンク制御チャネルを対象とする。
【００５５】
なお、１個の物理上りリンク共用チャネルは同一の上りリンク要素周波数帯域内の１個以上の上りリンクリソースブロックから構成され、１個の第一の物理上りリンク制御チャネルは同一の上りリンク要素周波数帯域内において周波数領域に対称関係にあり、異なる上りリンクスロットに位置する２個の上りリンクリソースブロックから構成され、１個の第二の物理上りリンク制御チャネルは同一の上りリンク要素周波数帯域内の２個の上りリンクリソースブロックから構成される。例えば、図１９において、最も周波数が低い上りリンク要素周波数帯域内の上りリンクサブフレーム内において、一番目の上りリンクスロットの最も周波数が低い上りリンクリソースブロックと、二番目の上りリンクスロットの最も周波数が高い上りリンクリソースブロックとにより、第一の物理上りリンク制御チャネルに用いられる上りリンクリソースブロックペアの１個が構成される。例えば、図１９において、最も周波数が低い上りリンク要素周波数帯域内の上りリンクサブフレーム内において、一番目の上りリンクスロットの二番目に周波数が低い上りリンクリソースブロックと、二番目の上りリンクスロットの二番目に周波数が低い上りリンクリソースブロックとにより、第二の物理上りリンク制御チャネルに用いられる上りリンクリソースブロックペアの１個が構成される。第二の物理上りリンク制御チャネルは、１個の上りリンクリソースブロックペアに配置されることを本特許では想定するが、同一の上りリンク要素周波数帯域内において周波数領域に対称関係にあり、異なる上りリンクスロットに位置する２個の上りリンクリソースブロックから構成されてもよい。
【００５６】
上りリンクシステム帯域内で１個以上の物理上りリンク共用チャネル、１個以上の第一の物理上りリンク制御チャネルが配置される。基地局装置３は、ＬＴＥに対応した１つの移動局装置５に対して同一の上りリンクサブフレームで同一の上りリンク要素周波数帯域内で第一の物理上りリンク制御チャネルの無線リソースと物理上りリンク共用チャネルの無線リソースを１個ずつ割り当てることができる。なお、基地局装置３は、ＬＴＥに対応した移動局装置５に対して周波数帯域集約を用いない場合の物理下りリンク共用チャネルに対する誤り結果である受信確認応答、またはスケジューリング要求、または下りリンクに対するチャネル品質指標毎に異なる第一の物理上りリンク制御チャネルの無線リソースを割り当てることができるが、ＬＴＥに対応した移動局装置５は同一の上りリンクサブフレームで１個の上りリンク制御チャネルの無線リソースしか用いない。また、基地局装置３は、ＬＴＥ−Ａに対応した１つの移動局装置５に対して同一の上りリンクサブフレームで上りリンク要素周波数帯域毎に１個の物理上りリンク共用チャネルの無線リソースを割り当てることができる。なお、基地局装置３は、ＬＴＥ−Ａに対応した１つの移動局装置５に対して同一の上りリンクサブフレームで、同一の上りリンク要素周波数帯域内で複数の物理上りリンク共用チャネルの無線リソースを割り当てることはできず、各物理上りリンク共用チャネルの無線リソースを異なる上りリンク要素周波数帯域に割り当てることができる。また、基地局装置３は、ＬＴＥ−Ａに対応した１つの移動局装置５に対して同一の上りリンクサブフレームで１個の上りリンク要素周波数帯域に１個以上の第一の物理上りリンク制御チャネルの無線リソースを割り当てることができる。基地局装置３がＬＴＥ−Ａに対応した移動局装置１と周波数帯域集約を用いて通信を行なう場合は、上りリンクシステム帯域内で１個以上の第二の物理上りリンク制御チャネルが配置される。基地局装置３は、ＬＴＥ−Ａに対応した移動局装置５に対して同一の上りリンクサブフレームで１個の上りリンク要素周波数帯域に第二の物理上りリンク制御チャネルの無線リソースを割り当てることができる。なお、基地局装置３がＬＴＥ−Ａに対応した移動局装置１と周波数帯域集約を用いて通信を行なわない場合は、上りリンクシステム帯域内で第二の物理上りリンク制御チャネルは配置されなくてもよい。
【００５７】
上りリンクパイロットチャネルは、物理上りリンク共有チャネルまたは第二の物理上りリンク制御チャネルと同じ上りリンクリソースブロック内に配置される場合と、第一の物理上りリンク制御チャネルと同じ上りリンクリソースブロック内に配置される場合とで異なるＳＣ−ＦＤＭＡシンボルに配置される。上りリンクパイロットチャネルは、上りリンク参照信号を送信するために用いられる。ここで、上りリンク参照信号とは、物理上りリンク共有チャネル、第一の物理上りリンク制御チャネルおよび第二の物理上りリンク制御チャネルの伝搬路変動の推定に用いられる、無線通信システム１において既知の信号である。
【００５８】
上りリンクパイロットチャネルは、物理上りリンク共有チャネルまたは第二の物理上りリンク制御チャネルと同じ上りリンクリソースブロック内に配置される場合、上りリンクスロット内の４番目のＳＣ−ＦＤＭＡシンボルに配置される。上りリンクパイロットチャネルは、周波数帯域集約を用いない場合の受信確認応答からなる制御情報を含む第一の物理上りリンク制御チャネルと同じ上りリンクリソースブロック内に配置される場合、上りリンクスロット内の３番目と４番目と５番目のＳＣ−ＦＤＭＡシンボルに配置される。上りリンクパイロットチャネルは、スケジューリング要求からなる制御情報を含む第一の物理上りリンク制御チャネルと同じ上りリンクリソースブロック内に配置される場合、上りリンクスロット内の３番目と４番目と５番目のＳＣ−ＦＤＭＡシンボルに配置される。上りリンクパイロットチャネルは、チャネル品質指標からなる制御情報を含む第一の物理上りリンク制御チャネルと同じ上りリンクリソースブロック内に配置される場合、上りリンクスロット内の２番目と６番目のＳＣ−ＦＤＭＡシンボルに配置される。上りリンクパイロットチャネルは、物理上りリンク共有チャネルと同じ上りリンクリソースブロック内に配置される場合と、第二の物理上りリンク制御チャネルと同じ上りリンクリソースブロック内に配置される場合とで同一のＳＣ−ＦＤＭＡシンボルに配置されることを本特許では想定するが、異なるＳＣ−ＦＤＭＡシンボルに配置されてもよい。例えば、上りリンクパイロットチャネルは、第二の物理上りリンク制御チャネルと同じ上りリンクリソースブロック内に配置される場合、上りリンクスロット内の３番目と４番目と５番目のＳＣ−ＦＤＭＡシンボルに配置される構成でもよいし、上りリンクスロット内の３番目と５番目のＳＣ−ＦＤＭＡシンボルに上りリンク参照信号が配置される構成でもよい。
【００５９】
この図では、第一の物理上りリンク制御チャネルが各上りリンク要素周波数帯域の最も端の上りリンクリソースブロックに配置された場合を示しているが、上りリンク要素周波数帯域の端から２番目、３番目などの上りリンクリソースブロックが第一の物理上りリンク制御チャネルに用いられる場合もある。また、この図では、第二の物理上りリンク制御チャネルが最も周波数の低い上りリンク要素周波数帯域の上りリンクリソースブロックに配置された場合を示しているが、上りリンクシステム帯域の端から２番目、３番目などの上りリンク要素周波数帯域の上りリンクリソースブロックが第二の物理上りリンク制御チャネルに用いられる場合もある。また、この図では、第二の物理上りリンク制御チャネルが上りリンク要素周波数帯域の端から２番目の上りリンクリソースブロックに配置された場合を示しているが、上りリンク要素周波数帯域の端から３番目、４番目などの上りリンクリソースブロックが第二の物理上りリンク制御チャネルに用いられる場合もある。
【００６０】
なお、第一の物理上りリンク制御チャネルにおいて周波数領域での符号多重、時間領域での符号多重が用いられる。複数の第一の物理上りリンク制御チャネルが同一の上りリンクリソースブロックに配置され、各第一の物理上りリンク制御チャネルは異なる符号が割り当てられ、割り当てられた符号により周波数領域、または時間領域において符号多重が実現される。第一の物理上りリンク制御チャネルは、周波数帯域集約を用いない場合の物理下りリンク共用チャネルに対する誤り結果である受信確認応答からなる制御情報を送信するために用いられる第一の物理上りリンク制御チャネルにおいては、周波数領域及び時間領域での符号多重が用いられる。スケジューリング要求からなる制御情報を送信するために用いられる第一の物理上りリンク制御チャネルにおいては、周波数領域及び時間領域での符号多重が用いられる。下りリンクに対するチャネル品質指標からなる制御情報を送信するために用いられる第一の物理上りリンク制御チャネルにおいては、周波数領域での符号多重が用いられる。なお、説明の簡略化のため、第一の物理上りリンク制御チャネルの符号多重に係る内容の説明は適宜省略する。
【００６１】
なお、本発明の実施形態に係る無線通信システム１では、下りリンクにおいてＯＦＤＭ方式を適用し、上りリンクにおいてＮｘＤＦＴ−Ｓｐｒｅａｄ  ＯＦＤＭ方式を適用する。ここで、ＮｘＤＦＴ−Ｓｐｒｅａｄ  ＯＦＤＭ方式とは、上りリンク要素周波数帯域単位でＤＦＴ−Ｓｐｒｅａｄ  ＯＦＤＭ方式を用いて信号を送受信する方式であり、複数の上りリンク要素周波数帯域を用いた無線通信システム１の上りリンクサブフレームにおいて複数のＤＦＴ−Ｓｐｒｅａｄ  ＯＦＤＭ送受信に関する処理部を用いて通信を行なう方式である。
【００６２】
物理下りリンク共用チャネルの無線リソースは、時間領域において、その物理下りリンク共用チャネルの無線リソースの割り当てに用いられた下りリンクアサインメントを含む物理下りリンク制御チャネルと同一の下りリンクサブフレームに配置され、周波数領域において、その物理下りリンク共用チャネルの無線リソースの割り当てに用いられた下りリンクアサインメントを含む物理下りリンク制御チャネルと同じ下りリンク要素周波数帯域、または異なる下りリンク要素周波数帯域に配置される。
【００６３】
下りリンク制御情報には、下りリンクアサインメントがいずれの下りリンク要素周波数帯域で送信される物理下りリンク共用チャネルに対応するか、または上りリンクグラントがいずれの上りリンク要素周波数帯域で送信される物理上りリンク共用チャネルに対応するかを示す情報（以下、「キャリアインディケータ（carrier indicator）」と呼称する。）が含まれる。下りリンクアサインメントにキャリアインディケータが含まれない場合、下りリンクアサインメントは、下りリンクアサインメントが送信された下りリンク要素周波数帯域と同じ下りリンク要素周波数帯域の物理下りリンク共用チャネルに対応する。上りリンクグラントにキャリアインディケータが含まれない場合、上りリンクグラントは、上りリンクグラントが送信された下りリンク要素周波数帯域と予め対応付けられた上りリンク要素周波数帯域の物理上りリンク共用チャネルに対応する。なお、下りリンク要素周波数帯域と上りリンク要素周波数帯域との対応付けを示す情報は、周波数帯域集約を用いた通信が行なわれる前に、基地局装置３から移動局装置５に通知される。
【００６４】
なお、要素周波数帯域はコンポーネントキャリアとも称す。また、下りリンク要素周波数帯域は下りリンクコンポーネントキャリアとも称す。また、上りリンク要素周波数帯域は上りリンクコンポーネントキャリアとも称す。なお、周波数帯域集約はキャリアアグリゲーションとも称す。
【００６５】
＜ＣＣ  ａｃｔｉｖａｔｉｏｎ／ｄｅａｃｔｉｖａｔｉｏｎ＞
無線通信システム１では、基地局装置３は周波数帯域集約を用いて通信を行なう移動局装置に対して通信に用いる複数の下りリンク要素周波数帯域を構成し、構成された複数の下りリンク要素周波数帯域において移動局装置５に対して信号の受信を行なわせるか、否かを制御する（コンポーネントキャリア活性化／非活性化；CC activation/deactivationと呼称する。）。基地局装置３は、移動局装置５に構成した複数の下りリンク要素周波数帯域のそれぞれに対して活性なコンポーネントキャリア（以下、Activated CCと呼称する。）と設定するか、非活性なコンポーネントキャリア（以下、Deactivated CCと呼称する。）と設定するかを示すコマンド（以下、Activation/deactivation commandと呼称する。）を移動局装置５に送信する。Ａｃｔｉｖａｔｉｏｎ／ｄｅａｃｔｉｖａｔｉｏｎ  ｃｏｍｍａｎｄを受信した移動局装置５は、Ａｃｔｉｖａｔｅｄ  ＣＣと示された下りリンク要素周波数帯域において信号の受信を行い、Ｄｅａｃｔｉｖａｔｅｄ  ＣＣと示された下りリンク要素周波数帯域においては信号の受信を行なわない。移動局装置５は、Ａｃｔｉｖａｔｉｏｎ／ｄｅａｃｔｉｖａｔｉｏｎ  ｃｏｍｍａｎｄを新たに検出するまで、Ａｃｔｉｖａｔｅｄ  ＣＣとＤｅａｃｔｉｖａｔｅｄ  ＣＣの設定を維持する。移動局装置５は、Ａｃｔｉｖａｔｉｏｎ／ｄｅａｃｔｉｖａｔｉｏｎ  ｃｏｍｍａｎｄに基づいて下りリンク要素周波数帯域の受信動作のＯＮ／ＯＦＦを制御し、各下りリンク要素周波数帯域の受信動作に関わるパラメータについては基地局装置３より下りリンク要素周波数帯域を再構成されるまで設定を維持する。
【００６６】
なお、移動局装置５は基地局装置３より追加で新たな下りリンク要素周波数帯域が構成された場合は、追加で構成された下りリンク要素周波数帯域をＤｅａｃｔｉｖａｔｅｄ  ＣＣに設定する。移動局装置５は、Ａｃｔｉｖａｔｉｏｎ／ｄｅａｃｔｉｖａｔｉｏｎ  ｃｏｍｍａｎｄを新たに検出するまで、Ａｃｔｉｖａｔｅｄ  ＣＣとＤｅａｃｔｉｖａｔｅｄ  ＣＣの設定を維持する。
【００６７】
＜基地局装置３の全体構成＞
以下、図１、図２、図３を用いて、本実施形態に係る基地局装置３の構成について説明する。図１は、本発明の実施形態に係る基地局装置３の構成を示す概略ブロック図である。この図に示すように、基地局装置３は、受信処理部１０１、無線リソース制御部１０３、制御部１０５、および、送信処理部１０７を含んで構成される。また、制御部１０５は、受信要素周波数帯域変更判断部１０５１を備える。
【００６８】
受信処理部１０１は、制御部１０５の指示に従い、受信アンテナ１０９により移動局装置５から受信した、物理上りリンク制御チャネル、物理上りリンク共用チャネルの受信信号を上りリンク参照信号を用いて復調し、復号して、制御情報、情報データを抽出する。受信処理部１０１は、自装置が移動局装置５に物理上りリンク制御チャネルの無線リソースを割り当てた上りリンクサブフレーム、上りリンクリソースブロックに対して制御情報を抽出する処理を行なう。受信処理部１０１は、何れの上りリンクサブフレーム、何れの上りリンクリソースブロックに対してどのような処理を行なうかを制御部１０５から指示される。例えば、受信処理部１０１は、第二の物理上りリンク制御チャネルに対して割り当てられた上りリンクリソースブロックに対して、信号に含まれる制御情報が制御部１０１より入力された複数の符号語（Codewordと呼称する。）の中の何れの符号語に近いかを検出する処理を行なう。受信処理部１０１は、抽出した制御情報を制御部１０５に出力し、情報データを上位層に出力する。受信処理部１０１の詳細については、後述する。
【００６９】
無線リソース制御部１０３は、移動局装置５各々の物理下りリンク制御チャネルに対する下りリンクリソースエレメントの割り当て、物理上りリンク制御チャネルに対する上りリンクリンクリソースブロックの割り当て、物理下りリンク共用チャネルに対する下りリンクリソースブロックの割り当て、物理上りリンク共用チャネルに対する上りリンクリソースブロックの割り当て、各種チャネルの変調方式・符号化率・送信電力制御値などを設定する。また、無線リソース制御部１０３は、受信処理部１０１において物理上りリンク制御チャネルを用いて取得され、制御部１０５を介して入力された制御情報に基づいて物理下りリンク共用チャネルの無線リソースの割り当てなどを設定する。例えば、無線リソース制御部１０３は、制御情報として受信確認応答を入力された場合、受信確認応答でＮＡＣＫが示された物理下りリンク共用チャネルの無線リソースの割り当てを移動局装置５に対して行なう。
【００７０】
無線リソース制御部１０３は、周波数帯域集約を用いて通信を行なう場合、移動局装置５に対して複数の下りリンク要素周波数帯域、複数の上りリンク要素周波数帯域を構成する。また、無線リソース制御部１０３は、周波数帯域集約を用いて通信を行なう移動局装置５に構成される複数の下りリンク要素周波数帯域に対してＡｃｔｉｖａｔｅｄ  ＣＣと設定するか、Ｄｅａｃｔｉｖａｔｅｄ  ＣＣと設定するかを制御する。無線リソース制御部１０３は、移動局装置５に対して構成される下りリンク要素周波数帯域および上りリンク要素周波数帯域に関する情報、移動局装置５に対して設定されるＡｃｔｉｖａｔｅｄ  ＣＣおよびＤｅａｃｔｉｖａｔｅｄ  ＣＣに関する情報を制御部１０５に出力する。また、無線リソース制御部１０３は、受信処理部１０１において第二の物理上りリンク制御チャネルの検出の対象に用いられる複数の符号語（Codewordと呼称する。）を設定する。
【００７１】
無線リソース制御部１０３は、各種制御信号を制御部１０５に出力する。例えば、制御信号は、物理上りリンク制御チャネルの無線リソース割り当てを示す制御信号や、周波数帯域集約を用いる場合の受信確認応答からなる制御情報を含む第二の物理上りリンク制御チャネルに用いられる可能性のある符号語を示す制御信号である。
【００７２】
制御部１０５は、受信要素周波数帯域変更判断部１０５１を備える。制御部１０５は、無線リソース制御部１０３から入力された制御信号に基づき、物理下りリンク共用チャネルに対する下りリンクリソースブロックの割り当て、物理下りリンク制御チャネルに対する下りリンクリソースエレメントの割り当て、物理下りリンク共用チャネルに対する変調方式の設定、各チャネルに対する符号化率の設定などの制御を送信処理部１０７に対して行なう。また、制御部１０５は、制御信号に基づき、物理下りリンク制御チャネルを用いて送信される制御情報を生成し、送信処理部１０７に出力する。物理下りリンク制御チャネルを用いて送信される制御情報は、下りリンクアサインメント、上りリンクグラントなどの下りリンク制御情報である。また、制御部１０５は、物理上りリンク制御チャネルの無線リソース割り当てを示す情報、構成される下りリンク要素周波数帯域および上りリンク要素周波数帯域に関する情報、設定されるＡｃｔｉｖａｔｅｄ  ＣＣおよびＤｅａｃｔｉｖａｔｅｄ  ＣＣに関する情報などを送信処理部１０７を介して移動局装置５に物理下りリンク共用チャネルを用いて送信するように制御を行なう。制御部１０５は、設定されるＡｃｔｉｖａｔｅｄ  ＣＣおよびＤｅａｃｔｉｖａｔｅｄ  ＣＣに関する情報をＡｃｔｉｖａｔｉｏｎ／ｄｅａｃｔｉｖａｔｉｏｎ  ｃｏｍｍａｎｄを用いて移動局装置５に送信する。
【００７３】
制御部１０５は、無線リソース制御部１０３から入力された制御信号に基づき、物理上りリンク共用チャネルに対する上りリンクリソースブロックの割り当て、物理上りリンク制御チャネルに対する上りリンクリソースブロックの割り当て、物理上りリンク共用チャネルおよび物理上りリンク制御チャネルの変調方式の設定、物理上りリンク共用チャネルの符号化率の設定などの制御を受信処理部１０１に対して行なう。また、制御部１０５は、無線リソース制御部１０３から入力された制御信号に基づき、第二の物理上りリンク制御チャネルにおいて送信される制御情報の検出に用いる符号語の設定を受信処理部１０１に対して行なう。また、制御部１０５は、移動局装置５によって物理上りリンク制御チャネルを用いて送信された制御情報が受信処理部１０１より入力され、入力された制御情報を無線リソース制御部１０３に出力する。
【００７４】
受信要素周波数帯域変更判断部１０５１は、受信処理部１０１において検出された符号語と、無線リソース制御部１０３より入力された符号語に基づき、移動局装置５が構成された下りリンク要素周波数帯域においてＡｃｔｉｖａｔｅｄ  ＣＣ、Ｄｅａｃｔｉｖａｔｅｄ  ＣＣの設定を変更したか否かを判断する。制御部１０５は、受信要素周波数帯域変更判断部１０５１において移動局装置がＡｃｔｉｖａｔｅｄ  ＣＣ、Ｄｅａｃｔｉｖａｔｅｄ  ＣＣの設定を変更したと判断し、その変更が自装置の意図した変更ではないと判断した場合、無線リソース制御部１０３にＡｃｔｉｖａｔｅｄ  ＣＣおよびＤｅａｃｔｉｖａｔｅｄ  ＣＣを再設定する制御信号を出力する。制御部１０５は、無線リソース制御部１０３において再設定されたＡｃｔｉｖａｔｅｄ  ＣＣ、Ｄｅａｃｔｉｖａｔｅｄ  ＣＣに関する情報をＡｃｔｉｖａｔｉｏｎ／ｄｅａｃｔｉｖａｔｉｏｎ  ｃｏｍｍａｎｄを用いて移動局装置５に送信するように送信処理部１０７を制御する。なお、制御部１０５は、自装置が移動局装置５に対してＡｃｔｉｖａｔｉｏｎ／ｄｅａｃｔｉｖａｔｉｏｎ  ｃｏｍｍａｎｄを送信していないのに移動局装置５がＡｃｔｉｖａｔｅｄ  ＣＣ、Ｄｅａｃｔｉｖａｔｅｄ  ＣＣの設定を変更した場合や、自装置が移動局装置に対して送信したＡｃｔｉｖａｔｉｏｎ／ｄｅａｃｔｉｖａｔｉｏｎ  ｃｏｍｍａｎｄで示される内容とは異なるＡｃｔｉｖａｔｅｄ  ＣＣ、Ｄｅａｃｔｉｖａｔｅｄ  ＣＣの設定をした場合に、自装置の意図した変更ではないと判断する。受信要素周波数帯域変更判断部１０５１の処理の詳細については、後述する。
【００７５】
送信処理部１０７は、制御部１０５から入力された制御信号に基づき物理下りリンク制御チャネル、物理下りリンク共用チャネルを用いて送信する信号を生成して、送信アンテナ１１１を介して送信する。送信処理部１０７は、無線リソース制御部１０３から入力された、物理上りリンク制御チャネルの無線リソースの割り当てを示す情報、構成される下りリンク要素周波数帯域および上りリンク要素周波数帯域に関する情報、設定されるＡｃｔｉｖａｔｅｄ  ＣＣおよびＤｅａｃｔｉｖａｔｅｄ  ＣＣに関する情報、上位層から入力された情報データを物理下りリンク共用チャネルを用いて移動局装置５に対して送信し、制御部１０５から入力された制御情報を物理下りリンク制御チャネルを用いて移動局装置５に対して送信する。なお、説明の簡略化のため、以降、情報データは数種の制御に関する情報を含むものとする。送信処理部１０７の詳細については、後述する。
【００７６】
＜基地局装置３の送信処理部１０７の構成＞
以下、基地局装置３の送信処理部１０７の詳細について説明する。図２は、本発明の実施形態に係る基地局装置３の送信処理部１０７の構成を示す概略ブロック図である。この図に示すように、送信処理部１０７は、複数の物理下りリンク共用チャネル処理部２０１−１〜２０１−Ｍ（以下、物理下りリンク共用チャネル処理部２０１−１〜２０１−Ｍを合わせて物理下りリンク共用チャネル処理部２０１と表す）、複数の物理下りリンク制御チャネル処理部２０３−１〜２０３−Ｍ（以下、物理下りリンク制御チャネル処理部２０３−１〜２０３−Ｍを合わせて物理下りリンク制御チャネル処理部２０３と表す）、下りリンクパイロットチャネル処理部２０５、多重部２０７、ＩＦＦＴ（Inverse Fast Fourier Transform；高速逆フーリエ変換）部２０９、ＧＩ（Guard Interval；ガードインターバル）挿入部２１１、Ｄ／Ａ（Digital/Analog；ディジタルアナログ変換）部２１３、送信ＲＦ（Radio Frequency
；無線周波数）部２１５、および、送信アンテナ１１１を含んで構成される。なお、各物理下りリンク共用チャネル処理部２０１、各物理下りリンク制御チャネル処理部２０３は、それぞれ、同様の構成および機能を有するので、その一つを代表して説明する。
【００７７】
また、この図に示すように、物理下りリンク共用チャネル処理部２０１は、それぞれ、ターボ符号部２１９、および、データ変調部２２１、を備える。また、この図に示すように、物理下りリンク制御チャネル処理部２０３は、畳み込み符号部２２３、および、ＱＰＳＫ変調部２２５、を備える。物理下りリンク共用チャネル処理部２０１は、移動局装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化したデータを、制御部１０５から入力された変調方式、例えば、ＱＰＳＫ、１６ＱＡＭ、６４ＱＡＭのような変調方式で変調し、変調シンボルの信号系列を生成する。データ変調部２２１は、生成した信号系列を、多重部２０７に出力する。
【００７８】
物理下りリンク制御チャネル処理部２０３は、制御部１０５から入力された制御情報を、ＯＦＤＭ方式で伝送するためのベースバンド信号処理を行なう。畳み込み符号部２２３は、制御部１０５から入力された符号化率に基づき、制御情報の誤り耐性を高めるための畳み込み符号化を行なう。ここで、制御情報はビット単位で制御される。また、畳み込み符号部２２３は、制御部１０５から入力された符号化率に基づき、畳み込み符号化の処理を行なったビットに対して出力ビットの数を調整するためにレートマッチングも行なう。畳み込み符号部２２３は、符号化した制御情報をＱＰＳＫ変調部２２５に出力する。ＱＰＳＫ変調部２２５は、畳み込み符号部２２３が符号化した制御情報を、ＱＰＳＫ変調方式で変調し、変調した変調シンボルの信号系列を、多重部２０７に出力する。下りリンクパイロットチャネル処理部２０５は、移動局装置５において既知の信号である下りリンク参照信号（Cell specific RSとも呼称する。）を生成し、多重部２０７に出力する。
【００７９】
多重部２０７は、下りリンクパイロットチャネル処理部２０５から入力された信号と、物理下りリンク共用チャネル処理部２０１各々から入力された信号と、物理下りリンク制御チャネル処理部２０３各々から入力された信号とを、制御部１０５からの指示に従って、下りリンク無線フレームに多重する。無線リソース制御部１０３によって設定された物理下りリンク共用チャネルに対する下りリンクリソースブロックの割り当て、物理下りリンク制御チャネルに対する下りリンクリソースエレメントの割り当てに関する制御信号が制御部１０５に入力され、その制御信号に基づき、制御部１０５は多重部２０７の処理を制御する。
【００８０】
なお、多重部２０７は、物理下りリンク共用チャネルと物理下りリンク制御チャネル間の多重を、図１８に示したように時間多重で行なう。また、多重部２０７は、下りリンクパイロットチャネルと、その他のチャネル間の多重は時間・周波数多重で行なう。また、多重部２０７は、各移動局装置５宛ての物理下りリンク共用チャネルの多重を下りリンクリソースブロックペア単位で行ない、１つの移動局装置５に対して複数の下りリンクリソースブロックペアを用いて物理下りリンク共用チャネルを多重することもある。また、多重部２０７は、各移動局装置５宛ての物理下りリンク制御チャネルの多重を同一の下りリンク要素周波数帯域内であり、ばらばらに分散した下りリンクリソースエレメントを複数用いて行なう。多重部２０７は、多重化した信号を、ＩＦＦＴ部２０９に出力する。
【００８１】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するＯＦＤＭシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、移動局装置５に送信する。
【００８２】
＜基地局装置３の受信処理部１０１の構成＞
以下、基地局装置３の受信処理部１０１の詳細について説明する。図３は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital；アナログディジタル変換）部３０３、要素周波数帯域分離部３０５、複数の上りリンク要素周波数帯域毎受信処理部３０７−１〜３０７−Ｍ（以下、上りリンク要素周波数帯域毎受信処理部３０７−１〜３０７−Ｍを上りリンク要素周波数帯域毎受信処理部３０７と表す）、を含んで構成される。また、この図に示すように、上りリンク要素周波数帯域毎受信処理部３０７は、シンボルタイミング検出部３０９、ＧＩ除去部３１１、ＦＦＴ部３１３、サブキャリアデマッピング部３１５、伝搬路推定部３１７、物理上りリンク共用チャネル用の伝搬路等化部３１９、物理上りリンク制御チャネル用の伝搬路等化部３２１、ＩＤＦＴ部３２３、データ復調部３２５、ターボ復号部３２７、および物理上りリンク制御チャネル検出部３２９を備える。また、物理上りリンク制御チャネル検出部３２９は、符号語検出部３０５１を備える。なお、各上りリンク要素周波数帯域毎受信処理部３０７は、同様の構成および機能を有するので、その一つを代表して説明する。
【００８３】
受信ＲＦ部３０１は、受信アンテナ１０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号を要素周波数帯域分離部３０５に出力する。要素周波数帯域分離部３０５は、上りリンクシステム帯域幅の上りリンク要素周波数帯域毎に受信信号を分離し、各上りリンク要素周波数帯域毎受信処理部３０７に出力する。
【００８４】
上りリンク要素周波数帯域毎受信処理部３０７は、上りリンク要素周波数帯域内の物理上りリンク共用チャネル、物理上りリンク制御チャネルの復調、復号を行ない、情報データ、制御情報を検出する。
【００８５】
シンボルタイミング検出部３０９は、要素周波数帯域分離部３０５より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、要素周波数帯域分離部３０５より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する移動局装置５のＩＦＦＴ部のポイント数と等しい。
【００８６】
サブキャリアデマッピング部３１５は、制御部１０５から入力された制御信号に基づき、ＦＦＴ部３１３が復調した信号を、上りリンクパイロットチャネルの上りリンク参照信号と、物理上りリンク共用チャネルの信号と、物理上りリンク制御チャネルの信号とに分離する。サブキャリアデマッピング部３１５は、分離した上りリンク参照信号を伝搬路推定部３１７に出力し、分離した物理上りリンク共用チャネルの信号を物理上りリンク共用チャネル用の伝搬路等化部３１９に出力し、分離した物理上りリンク制御チャネルの信号を物理上りリンク制御チャネル用の伝搬路等化部３２１に出力する。
【００８７】
伝搬路推定部３１７は、サブキャリアデマッピング部３１５が分離した上りリンク参照信号と既知の信号を用いて伝搬路の変動を推定する。伝搬路推定部３１７は、推定した伝搬路推定値を、物理上りリンク共用チャネル用の伝搬路等化部３１９と、物理上りリンク制御チャネル用の伝搬路等化部３２１に出力する。物理上りリンク共用チャネル用の伝搬路等化部３１９は、サブキャリアデマッピング部３１５が分離した物理上りリンク共用チャネルの信号の振幅および位相を、伝搬路推定部３１７から入力された伝搬路推定値に基づいて等化する。ここで、等化とは、信号が無線通信中に受けた伝搬路の変動を元に戻す処理のことを表す。物理上りリンク共用チャネル用の伝搬路等化部３１９は、調整した信号をＩＤＦＴ部３２３に出力する。
【００８８】
ＩＤＦＴ部３２３は、物理上りリンク共用チャネル用の伝搬路等化部３１９から入力された信号を離散逆フーリエ変換し、データ復調部３２５に出力する。データ復調部３２５は、ＩＤＦＴ部３２３が変換した物理上りリンク共用チャネルの信号の復調を行ない、復調した物理上りリンク共用チャネルの信号をターボ復号部３２７に出力する。この復調は、移動局装置５のデータ変調部で用いられる変調方式に対応した復調であり、変調方式は制御部１０５より入力される。ターボ復号部３２７は、データ復調部３２５から入力され、復調された物理上りリンク共用チャネルの信号から、情報データを復号する。符号化率は、制御部１０５より入力される。
【００８９】
物理上りリンク制御チャネル用の伝搬路等化部３２１は、サブキャリアデマッピング部３１５で分離された物理上りリンク制御チャネルの信号の振幅および位相を、伝搬路推定部３１７から入力された伝搬路推定値に基づいて等化する。物理上りリンク制御チャネル用の伝搬路等化部３２１は、等化した信号を物理上りリンク制御チャネル検出部３２９に出力する。
【００９０】
物理上りリンク制御チャネル検出部３２９は、符号語検出部３０５１を備える。物理上りリンク制御チャネル検出部３２９は、物理上りリンク制御チャネル用の伝搬路等化部３２１から入力された信号を復調、復号し、制御情報を検出する。物理上りリンク制御チャネル検出部は、第一の物理上りリンク制御チャネルと第二の物理上りリンク制御チャネルに対して制御情報を検出する処理を行なう。物理上りリンク制御チャネル検出部３２９は、送信側で用いられた符号を用いて周波数領域、および／または時間領域で符号多重された第一の物理上りリンク制御チャネルの信号から周波数帯域集約を用いない場合の物理下りリンク共用チャネルに対する誤り結果である受信確認応答からなる制御情報、スケジューリング要求からなる制御情報、下りリンクのチャネル品質指標からなる制御情報を検出する。また、物理上りリンク制御チャネル検出部３２９は、第二の物理上りリンク制御チャネルの信号に対して、セル固有のスクランブリング符号を用いて、周波数帯域集約を用いた場合の物理下りリンク共用チャネルに対する誤り結果である受信確認応答からなる制御情報を検出する。符号語検出部３０５１は、制御部から入力された複数の符号語の中から、セル固有のスクランブリング符号が乗算された第二の物理上りリンク制御チャネルの受信信号と最も似ている符号語を検出する。物理上りリンク制御チャネル検出部３２９は、符号語検出部３０５１で検出された符号語を制御部１０５に出力する。符号語検出部３０５１の更に詳細な説明は後述する。
【００９１】
制御部１０５は、基地局装置３が、移動局装置５に物理下りリンク制御チャネルを用いて送信した制御情報、及び物理下りリンク共用チャネルを用いて送信した制御情報に基づいて、サブキャリアデマッピング部３１５、データ復調部３２５、ターボ復号部３２７、伝搬路推定部３１７、および物理上りリンク制御チャネル検出部３２９の制御を行なう。また、制御部１０５は、基地局装置３が移動局装置５に送信した制御情報に基づき、各移動局装置５が送信した物理上りリンク共用チャネル、物理上りリンク制御チャネルがどの無線リソース（上りリンクリソースブロック）に配置されているかを把握している。
【００９２】
＜移動局装置５の全体構成＞
以下、図４、図５、図６を用いて、本実施形態に係る移動局装置５の構成について説明する。図４は、本発明の実施形態に係る移動局装置５の構成を示す概略ブロック図である。この図に示すように、移動局装置５は、受信処理部４０１、無線リソース制御部４０３、制御部４０５、送信処理部４０７を含んで構成される。また、制御部４０５は、応答生成部４０５１、コマンド検出部４０５３、符号語選択部４０５５を備える。また、無線リソース制御部４０３は、符号語表設定部４５５１を備える。
【００９３】
受信処理部４０１は、基地局装置３から信号を受信し、制御部４０５の指示に従い、受信信号を復調、復号する。受信処理部４０１は、自装置宛ての物理下りリンク制御チャネルの信号を検出した場合は、物理下りリンク制御チャネルの信号を復号して取得した制御情報を制御部４０５に出力する。また、受信処理部４０１は、物理下りリンク制御チャネルに含まれる制御情報を制御部４０５に出力した後の制御部４０５の指示に基づき、自装置宛ての物理下りリンク共用チャネルを復号して得た情報データを、制御部４０５を介して上位層に出力する。また、受信処理部４０１は、物理下りリンク共用チャネルを復号して得た基地局装置３の無線リソース制御部１０３で生成された制御情報を制御部４０５に出力し、また制御部４０５を介して自装置の無線リソース制御部４０３に出力する。例えば、基地局装置３の無線リソース制御部１０３で生成された制御情報は、物理上りリンク制御チャネルの無線リソースの割り当てを示す制御情報、構成される下りリンク要素周波数帯域および上りリンク要素周波数帯域に関する情報、設定されるＡｃｔｉｖａｔｅｄ  ＣＣおよびＤｅａｃｔｉｖａｔｅｄ  ＣＣに関する情報（Ａｃｔｉｖａｔｉｏｎ／ｄｅａｃｔｉｖａｔｉｏｎ  ｃｏｍｍａｎｄ）を含む。
【００９４】
また、受信処理部４０１は、物理下りリンク共用チャネルに含まれる巡回冗長検査（Cyclic Redundancy Check: CRC）を制御部４０５に出力する。基地局装置３の説明では省略したが、基地局装置３の送信制御部１０７は情報データからＣＲＣを生成し、情報データとＣＲＣを物理下りリンク共用チャネルで送信する。ＣＲＣは、物理下りリンク共用チャネルに含まれるデータが誤っているか、誤っていないかを判断するために使われ、予め決められた生成多項式を用いてデータから生成された情報とＣＲＣが同じ場合はデータが誤っていないと判断され、予め決められた生成多項式を用いてデータから生成された情報とＣＲＣが異なる場合はデータが誤っていると判断される。また、受信処理部４０１は、物理下りリンク共用チャネルに含まれるＡｃｔｉｖａｔｉｏｎ／ｄｅａｃｔｉｖａｔｉｏｎ  ｃｏｍｍａｎｄを制御部４０５に出力する。受信処理部４０１の詳細については後述する。
【００９５】
制御部４０５は、応答生成部４０５１、コマンド検出部４０５３、符号語選択部４０５５を備える。制御部４０５は、物理下りリンク共用チャネルを用いて基地局装置３から送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。また、同様に、制御部４０５は、物理下りリンク制御チャネルを用いて基地局装置３から送信され、受信処理部４０１より入力された制御情報に基づいて、受信処理部４０１、送信処理部４０７を制御する。また、制御部４０５は、予め決められた生成多項式を用いて受信処理部４０１より入力されたデータ（情報データ、制御情報、Ａｃｔｉｖａｔｉｏｎ／ｄｅａｃｔｉｖａｔｉｏｎ  ｃｏｍｍａｎｄ）と受信処理部４０１より入力されたＣＲＣを比較し、データが誤っているか否かを判断する。
【００９６】
応答生成部４０５１は、制御部４０５で判断されたデータの誤り結果に基づき信号の受信を行なうことが要求される各下りリンク要素周波数帯域、つまり各Ａｃｔｉｖａｔｅｄ  ＣＣで受信された信号に含まれる情報データに対するＡＣＫおよび／またはＮＡＣＫおよび／またはＤＴＸを示す制御情報を生成する。応答生成部４０５１は、生成された各Ａｃｔｉｖａｔｅｄ  ＣＣで受信された信号に含まれる情報データに対するＡＣＫおよび／またはＮＡＣＫおよび／またはＤＴＸを示す制御情報を符号語選択部４０５５に出力する。応答生成部４０５１の詳細については後述する。
【００９７】
コマンド検出部４０５３は、受信処理部４０１より入力されたＡｃｔｉｖａｔｉｏｎ／ｄｅａｃｔｉｖａｔｉｏｎ  ｃｏｍｍａｎｄを解読し、基地局装置３より構成された複数の下りリンク要素周波数帯域に対して何れの下りリンク要素周波数帯域をＡｃｔｉｖａｔｅｄ  ＣＣ、またはＤｅａｃｔｉｖａｔｅｄ  ＣＣに設定するかを検出する。制御部４０５は、コマンド検出部４０５３で検出された情報に基づき、Ａｃｔｉｖａｔｅｄ  ＣＣに設定されることを基地局装置３より示された下りリンク要素周波数帯域では信号の受信処理を行ない、Ｄｅａｃｔｉｖａｔｅｄ  ＣＣに設定されることを基地局装置３より示された下りリンク要素周波数帯域では信号の受信処理を行なわないように受信処理部４０１に制御信号を出力する。コマンド検出部４０５３の詳細については後述する。また、制御部４０５は、コマンド検出部４０５３においてＡｃｔｉｖａｔｉｏｎ／ｄｅａｃｔｉｖａｔｉｏｎ  ｃｏｍｍａｎｄが検出された場合、検出されたことを示す制御信号を無線リソース制御部４０３に出力する。
【００９８】
符号語選択部４０５５は、無線リソース制御部４０３より符号語表設定部４５５１で設定された符号語表（codeword tableと呼称する。）に関する制御情報が入力され、無線リソース制御部４０３より入力された制御情報で示される符号語表の中から符号語を選択する。符号語選択部４０５５は、応答生成部４０５１より入力された各Ａｃｔｉｖａｔｅｄ  ＣＣで受信された信号に含まれる情報データに対するＡＣＫおよび／またはＮＡＣＫおよび／またはＤＴＸに対応する符号語を符号語表の中から選択する。符号語選択部４０５５の詳細については後述する。制御部４０５は、符号語選択部４０５５で選択された符号語を送信処理部４０７に出力し、また基地局装置３より示された無線リソースを用いて第二の物理上りリンク制御チャネルの信号構成で送信処理部４０７に出力された符号語を基地局装置３に送信するように送信処理部４０７を制御する。
【００９９】
無線リソース制御部４０３は、符号語表設定部４５５１を備える。無線リソース制御部４０３は、基地局装置３の無線リソース制御部１０３で生成され、基地局装置３より通知された制御情報を保持すると共に、制御部４０５を介して受信処理部４０１、送信処理部４０７の制御を行なう。例えば、無線リソース制御部４０３は、物理上りリンク制御チャネルの無線リソースの割り当てに関する制御情報を保持し、送信処理部４０７において第二の物理上りリンク制御チャネルの信号を保持した無線リソースを用いて送信するように制御信号を制御部４０５に出力する。
【０１００】
符号語表設定部４５５１は、複数の異なる種類の符号語表を予め記憶している。符号語表設定部４５５１は、制御部４０５より入力された、コマンド検出部４０５３でＡｃｔｉｖａｔｉｏｎ／ｄｅａｃｔｉｖａｔｉｏｎ  ｃｏｍｍａｎｄが検出されたことを示す制御信号に基づき符号語表を設定する。具体的には、符号語表設定部４５５１は、コマンド検出部４０５３でＡｃｔｉｖａｔｉｏｎ／ｄｅａｃｔｉｖａｔｉｏｎ  ｃｏｍｍａｎｄが検出されたことを示す制御信号が入力される毎に予め決められた順番で異なる種類の符号語表を設定する。無線リソース制御部４０３は、符号語表設定部４５５１で設定された符号語表に関する制御情報を制御部４０５の符号語選択部に出力する。なお、基地局装置３は移動局装置５の符号語表設定部４５５１で予め記憶される複数の符号語表を予め把握している。なお、基地局装置３は符号語表設定部４５５１が符号語表を設定する順番を予め把握している。
【０１０１】
送信処理部４０７は、制御部４０５の指示に従い、情報データ、制御情報を符号化し、変調した信号を物理上りリンク共用チャネル、物理上りリンク制御チャネルの無線リソースに配置して、基地局装置３に送信アンテナ４１１を介して送信する。例えば、送信処理部４０７は、第二の物理上りリンク制御チャネルを用いて制御部４０５から入力された符号語を送信する。具体的には、送信処理部４０７は、制御部４０５から入力された符号語を変調して、変調した信号に対してセル固有のスクランブリング符号を乗算し、スクランブリング符号が乗算された信号を制御部４０５から指示された無線リソースを用いて基地局装置３に送信する。送信処理部４０７の詳細については後述する。
【０１０２】
＜移動局装置５の受信処理部４０１＞
以下、移動局装置５の受信処理部４０１の詳細について説明する。図５は、本発明の実施形態に係る移動局装置５の受信処理部４０１の構成を示す概略ブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、物理下りリンク共用チャネル用の伝搬路補償部５１５、物理下りリンク共用チャネル復号部５１７、物理下りリンク制御チャネル用の伝搬路補償部５１９、および、物理下りリンク制御チャネル復号部５２１、を含んで構成される。また、この図に示すように、物理下りリンク共用チャネル復号部５１７は、データ復調部５２３、および、ターボ復号部５２５、を備える。また、この図に示すように、物理下りリンク制御チャネル復号部５２１は、ＱＰＳＫ復調部５２７、および、ビタビデコーダ部５２９、を備える。
【０１０３】
受信ＲＦ部５０１は、受信アンテナ４０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部５０１は、直交復調したアナログ信号を、Ａ／Ｄ部５０３に出力する。
【０１０４】
Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【０１０５】
多重分離部５１１は、制御部４０５から入力された制御信号に基づき、ＦＦＴ部５０９が復調した信号を、物理下りリンク制御チャネルの信号と、物理下りリンク共用チャネルの信号とに分離する。多重分離部５１１は、分離した物理下りリンク共用チャネルの信号を、物理下りリンク共用チャネル用の伝搬路補償部５１５に出力し、また、分離した物理下りリンク制御チャネルの信号を、物理下りリンク制御チャネル用の伝搬路補償部５１９に出力する。また、多重分離部５１１は、下りリンクパイロットチャネルが配置される下りリンクリソースエレメントを分離し、下りリンクパイロットチャネルの下りリンク参照信号を、伝搬路推定部５１３に出力する。
【０１０６】
伝搬路推定部５１３は、多重分離部５１１が分離した下りリンクパイロットチャネルの下りリンク参照信号と既知の信号とを用いて伝搬路の変動を推定し、伝搬路の変動を補償するように、振幅および位相を調整するための伝搬路補償値を、物理下りリンク共用チャネル用の伝搬路補償部５１５と、物理下りリンク制御チャネル用の伝搬路補償部５１９に出力する。物理下りリンク共用チャネル用の伝搬路補償部５１５は、多重分離部５１１が分離した物理下りリンク共用チャネルの信号の振幅および位相を、伝搬路推定部５１３から入力された伝搬路補償値に従って調整する。物理下りリンク共用チャネル用の伝搬路補償部５１５は、伝搬路を調整した信号を物理下りリンク共用チャネル復号部５１７のデータ復調部５２３に出力する。
【０１０７】
物理下りリンク共用チャネル復号部５１７は、制御部４０５からの指示に基づき、物理下りリンク共用チャネルの復調、復号を行ない、情報データを検出する。データ復調部５２３は、伝搬路補償部５１５から入力された物理下りリンク共用チャネルの信号の復調を行ない、復調した物理下りリンク共用チャネルの信号をターボ復号部５２５に出力する。この復調は、基地局装置３のデータ変調部２２１で用いられる変調方式に対応した復調である。ターボ復号部５２５は、データ復調部５２３から入力され、復調された物理下りリンク共用チャネルの信号から情報データを復号し、制御部４０５を介して上位層に出力する。なお、物理下りリンク共用チャネルを用いて送信された、基地局装置３の無線リソース制御部１０３で生成された制御情報等も制御部４０５に出力され、制御部４０５を介して無線リソース制御部４０３にも出力される。なお、物理下りリンク共用チャネルを用いて送信されたＡｃｔｉｖａｔｉｏｎ／ｄｅａｃｔｉｖａｔｉｏｎ  ｃｏｍｍａｎｄも制御部４０５に出力される。なお、物理下りリンク共用チャネルに含まれるＣＲＣも制御部４０５に出力される。
【０１０８】
物理下りリンク制御チャネル用の伝搬路補償部５１９は、多重分離部５１１が分離した物理下りリンク制御チャネルの信号の振幅および位相を、伝搬路推定部５１３から入力された伝搬路補償値に従って調整する。物理下りリンク制御チャネル用の伝搬路補償部５１９は、調整した信号を物理下りリンク制御チャネル復号部５２１のＱＰＳＫ復調部５２７に出力する。
【０１０９】
物理下りリンク制御チャネル復号部５２１は、以下のように、物理下りリンク制御チャネル用の伝搬路補償部５１９から入力された信号を復調、復号し、制御データを検出する。ＱＰＳＫ復調部５２７は、物理下りリンク制御チャネルの信号に対してＱＰＳＫ復調を行ない、ビタビデコーダ部５２９に出力する。ビタビデコーダ部５２９は、ＱＰＳＫ復調部５２７が復調した信号を復号し、復号した制御情報を制御部４０５に出力する。ここで、この信号はビット単位で表現され、ビタビデコーダ部５２９は、入力ビットに対してビタビデコーディング処理を行なうビットの数を調整するためにレートデマッチングも行なう。
【０１１０】
なお、制御部４０５は、ビタビデコーダ部５２９より入力された制御情報が誤りなく、自装置宛ての制御情報かを判定し、誤りなく、自装置宛ての制御情報と判定した場合、制御情報に基づいて多重分離部５１１、データ復調部５２３、ターボ復号部５２５、および送信処理部４０７、を制御する。例えば、制御部４０５は、制御情報が物理下りリンク共用チャネルの無線リソース割り当ての情報を含んでいた場合、受信処理部４０１に無線リソースを割り当てられた下りリンク要素周波数帯域で物理下りリンク共用チャネルの信号を受信するように制御する。なお、物理下りリンク制御チャネルにおいても物理下りリンク共用チャネルと同様にＣＲＣが含まれており、制御部４０５はＣＲＣを用いて物理下りリンク制御チャネルの制御情報が誤っているか否かを判断する。
【０１１１】
＜移動局装置５の送信処理部４０７＞
図６は、本発明の実施形態に係る移動局装置５の送信処理部４０７の構成を示す概略ブロック図である。この図に示すように、送信処理部４０７は、複数の上りリンク要素周波数帯域毎送信処理部６０１−１〜６０１−Ｍ（以下、上りリンク要素周波数帯域毎送信処理部６０１−１〜６０１−Ｍを合わせて上りリンク要素周波数帯域毎送信処理部６０１と表す）、要素周波数帯域合成部６０３、Ｄ／Ａ部６０５、送信ＲＦ部６０７、および、送信アンテナ４１１を含んで構成される。また、この図に示すように、上りリンク要素周波数帯域毎送信処理部６０１は、ターボ符号部６１１、データ変調部６１３、ＤＦＴ部６１５、上りリンクパイロットチャネル処理部６１７、物理上りリンク制御チャネル処理部６１９、サブキャリアマッピング部６２１、ＩＦＦＴ部６２３、乗算部６２４、および、ＧＩ挿入部６２５、を備える。移動局装置５は、対応する数の上りリンク要素周波数帯域分の上りリンク要素周波数帯域毎送信処理部６０１を有する。なお、各上りリンク要素周波数帯域毎送信処理部６０１は、同様の構成および機能を有するので、その一つを代表して説明する。
【０１１２】
上りリンク要素周波数帯域毎送信処理部６０１は、情報データ、制御情報に対して符号化、変調を行ない、上りリンク要素周波数帯域内の物理上りリンク共用チャネル、物理上りリンク制御チャネルを用いて送信する信号を生成する。ターボ符号部６１１は、入力された情報データを、制御部４０５から指示された符号化率で、データの誤り耐性を高めるためのターボ符号化を行ない、データ変調部６１３に出力する。データ変調部６１３は、ターボ符号部６１１が符号化した符号データを、制御部４０５から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。
【０１１３】
ＤＦＴ部６１５は、データ変調部６１３が出力した信号を離散フーリエ変換し、サブキャリアマッピング部６２１に出力する。物理上りリンク制御チャネル処理部６１９は、制御部４０５から入力された制御情報を伝送するためのベースバンド信号処理を行なう。物理上りリンク制御チャネル処理部６１９に入力される制御情報は、スケジューリング要求、下りリンクのチャネル品質指標、周波数帯域集約を用いない場合の物理下りリンク共用チャネルに対する誤り結果である受信確認応答、周波数帯域集約を用いた場合の物理下りリンク共用チャネルに対する誤り結果である受信確認応答である。物理上りリンク制御チャネル処理部６１９は、ベースバンド信号処理を行ない、生成した信号をサブキャリアマッピング部６２１に出力する。例えば、物理上りリンク制御チャネル処理部６１９は、周波数帯域集約を用いた場合の物理下りリンク共用チャネルに対する誤り結果である受信確認応答を第二の物理上りリンク制御チャネルを用いて送信する場合、入力された符号語を変調して、変調された信号を離散フーリエ変換し、離散フーリエ変換された信号に対して制御部４０５から入力されたセル固有のスクランブリング符号を乗算し、サブキャリアマッピング部６２１に出力する。なお、物理上りリンク制御チャネル処理部６１９は、第一の物理上りリンク制御チャネルを用いて制御情報を送信する場合、周波数領域で基地局装置３より決められた符号を信号に乗算する。
【０１１４】
上りリンクパイロットチャネル処理部６１７は、基地局装置３において既知の信号である上りリンク参照信号を制御部４０５からの指示に基づき生成し、サブキャリアマッピング部６２１に出力する。
【０１１５】
サブキャリアマッピング部６２１は、上りリンクパイロットチャネル処理部６１７から入力された信号と、ＤＦＴ部６１５から入力された信号と、物理上りリンク制御チャネル処理部６１９から入力された信号とを、制御部４０５からの指示に従ってサブキャリアに配置し、ＩＦＦＴ部６２３に出力する。
【０１１６】
ＩＦＦＴ部６２３は、サブキャリアマッピング部６２１が出力した信号を高速逆フーリエ変換し、乗算部６２４に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、物理上りリンク共用チャネルを用いて送信する信号に対してＤＦＴ−Ｓｐｒｅａｄ−ＯＦＤＭ方式の変調を行なう。乗算部６２４は、制御部４０５からの指示に従ってＳＣ−ＦＤＭＡシンボル単位で直交符号を乗算して、ＧＩ挿入部６２５に出力する。ここで、制御部４０５は、スケジューリング要求の制御情報を含む物理上りリンク制御チャネルの信号、周波数帯域集約を用いない場合の物理下りリンク共用チャネルに対する誤り結果である受信確認応答を含む第一の物理上りリンク制御チャネルの信号に対して、予め基地局装置３より設定された直交系列の各直交符号を時間領域でＳＣ−ＦＤＭＡシンボルに乗算するように乗算部６２４を制御し、下りリンクのチャネル品質指標を含む物理上りリンク制御チャネルの信号、周波数帯域集約を用いた場合の物理上りリンク共用チャネルに対する誤り結果である受信確認応答を含む第二の物理上りリンク制御チャネルの信号、物理上りリンク共用チャネルの信号や上りリンク参照信号に対しては何も乗算せずに入力された信号をそのまま出力するように乗算部６２４を制御する。ＧＩ挿入部６２５は、乗算部６２４から入力された信号に、ガードインターバルを付加し、要素周波数帯域合成部６０３に出力する。
【０１１７】
要素周波数帯域合成部６０３は、各上りリンク要素周波数帯域毎送信処理部６０１より入力された上りリンク要素周波数帯域毎の信号を合成し、Ｄ／Ａ部６０５に出力する。Ｄ／Ａ部６０５は、要素周波数帯域合成部６０３から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１１を介して、基地局装置３に送信する。以上の構成により、送信処理部４０７は、制御部４０５の制御に基づき周波数帯域を用いた場合の物理下りリンク共用チャネルに対する誤り結果である受信確認応答を含む第二の物理上りリンク制御チャネルの信号を基地局装置３に送信する。
【０１１８】
＜ＣＣ  Ａｃｔｉｖａｔｉｏｎ／ｄｅａｃｔｉｖａｔｉｏｎ＞
コマンド検出部４０５３の詳細について説明する。図７は、Ａｃｔｉｖａｔｉｏｎ／ｄｅａｃｔｉｖａｔｉｏｎ  ｃｏｍｍａｎｄの構成を示す図である。図７は、移動局装置５において２個の下りリンク要素周波数帯域が構成された（もしくは、割り当てられた）場合に用いられるＡｃｔｉｖａｔｉｏｎ／ｄｅａｃｔｉｖａｔｉｏｎ  ｃｏｍｍａｎｄの構成を示している。図７において、Ａｃｔｉｖａｔｉｏｎ／ｄｅａｃｔｉｖａｔｉｏｎ  ｃｏｍｍａｎｄは２つの情報フィールドを有し、各情報フィールドは移動局装置５において基地局装置３より構成された各下りリンク要素周波数帯域と対応する。Ａｃｔｉｖａｔｉｏｎ／ｄｅａｃｔｉｖａｔｉｏｎ  ｃｏｍｍａｎｄの各情報フィールドは、各下りリンク要素周波数帯域をＡｃｔｉｖａｔｅｄ  ＣＣに設定するか、Ｄｅａｃｔｉｖａｔｅｄ  ＣＣに設定するかを示す。例えば、情報フィールドで“０”が示される場合はその情報フィールドに対応する下りリンク要素周波数帯域をＤｅａｃｔｉｖａｔｅｄ  ＣＣに設定することを意味し、情報フィールドで“１”が示される場合はその情報フィールドに対応する下りリンク要素周波数帯域をＡｃｔｉｖａｔｅｄ  ＣＣに設定することを意味する。
【０１１９】
移動局装置５において２個の下りリンク要素周波数帯域が構成された場合、コマンド検出部４０５３は、受信処理部４０１より入力された２ビットの情報フィールドから構成されるＡｃｔｉｖａｔｉｏｎ／ｄｅａｃｔｉｖａｔｉｏｎ  ｃｏｍｍａｎｄに対して、各情報フィールドが“０”であるか“１”であるかを判断し、“０”が示される情報フィールドと対応する下りリンク要素周波数帯域をＤｅａｃｔｉｖａｔｅｄ  ＣＣに設定し、“１”が示される情報フィールドと対応する下りリンク要素周波数帯域をＡｃｔｉｖａｔｅｄ  ＣＣに設定することを検出する。制御部４０５は、コマンド検出部４０５３で検出された情報に基づき、Ａｃｔｉｖａｔｅｄ  ＣＣに設定されることを基地局装置３より示された下りリンク要素周波数帯域では信号の受信処理を行ない、Ｄｅａｃｔｉｖａｔｅｄ  ＣＣに設定されることを基地局装置３より示された下りリンク要素周波数帯域では信号の受信処理を行なわないように受信処理部４０１に制御信号を出力する。基地局装置３の制御部１０５は、図７に示すようなＡｃｔｉｖａｔｉｏｎ／ｄｅａｃｔｉｖａｔｉｏｎ  ｃｏｍｍａｎｄを生成する。
【０１２０】
図８は、移動局装置５において３個の下りリンク要素周波数帯域が構成された場合に用いられるＡｃｔｉｖａｔｉｏｎ／ｄｅａｃｔｉｖａｔｉｏｎ  ｃｏｍｍａｎｄの構成を示している。図８では、図７と比較して、構成される下りリンク要素周波数帯域が１個多いため、情報フィールドが１個多く構成される。このように、Ａｃｔｉｖａｔｉｏｎ／ｄｅａｃｔｉｖａｔｉｏｎ  ｃｏｍｍａｎｄは、移動局装置５において構成される下りリンク要素周波数帯域の数に応じて構成され、構成される下りリンク要素周波数帯域の数と同一数の情報フィールドから構成される。例えば、移動局装置５において４個の下りリンク要素周波数帯域が構成される場合はＡｃｔｉｖａｔｉｏｎ／ｄｅａｃｔｉｖａｔｉｏｎ  ｃｏｍｍａｎｄは４個の情報フィールドから構成され、移動局装置５において５個の下りリンク要素周波数帯域が構成される場合はＡｃｔｉｖａｔｉｏｎ／ｄｅａｃｔｉｖａｔｉｏｎ  ｃｏｍｍａｎｄは５個の情報フィールドから構成される。
【０１２１】
なお、移動局装置５は、下りリンク要素周波数帯域の一部をＡｃｔｉｖａｔｉｏｎ／ｄｅａｃｔｉｖａｔｉｏｎ  ｃｏｍｍａｎｄに関わらずＡｃｔｉｖａｔｅｄ  ＣＣに固定に設定するようにしてもよい。例えば、移動局装置５は、２個の下りリンク要素周波数帯域（下りリンク要素周波数帯域１、下りリンク要素周波数帯域２）が構成される場合、下りリンク要素周波数帯域１をＡｃｔｉｖａｔｅｄ  ＣＣに固定に設定するようにしてもよい。Ａｃｔｉｖａｔｅｄ  ＣＣに固定に設定する下りリンク要素周波数帯域に関する情報が基地局装置３から移動局装置５に通知され、移動局装置５は通知された情報で示された下りリンク要素周波数帯域をＡｃｔｉｖａｔｅｄ  ＣＣに固定に設定する（このような、下りリンク要素周波数帯域をPrimary DL CC、またはAnchor DL CCと呼称する。）。なお、Ａｃｔｉｖａｔｅｄ  ＣＣに固定に設定する下りリンク要素周波数帯域に関する情報は、移動局装置５に複数の下りリンク要素周波数帯域が構成される時点などに基地局装置３から移動局装置５に通知される。このような場合、Ａｃｔｉｖａｔｉｏｎ／ｄｅａｃｔｉｖａｔｉｏｎ  ｃｏｍｍａｎｄは、下りリンク要素周波数帯域２に対する情報フィールドのみから構成されてもよい。
【０１２２】
なお、構成される下りリンク要素周波数帯域の数に関わらず、Ａｃｔｉｖａｔｉｏｎ／ｄｅａｃｔｉｖａｔｉｏｎ  ｃｏｍｍａｎｄの情報フィールドの数を固定としてもよい。例えば、Ａｃｔｉｖａｔｉｏｎ／ｄｅａｃｔｉｖａｔｉｏｎ  ｃｏｍｍａｎｄの情報フィールドの数を５個に固定とし、移動局装置５に対して構成される下りリンク要素周波数帯域の数が２個の場合、２個の情報フィールドのみが基地局装置３と移動局装置５間で用いられ、３個の情報フィールドは何も用いられずに、Ａｃｔｉｖａｔｉｏｎ／ｄｅａｃｔｉｖａｔｉｏｎ  ｃｏｍｍａｎｄが基地局装置３から移動局装置５に送信される。
【０１２３】
また、移動局装置５が複数の下りリンク要素周波数帯域が構成された最初の時点では、移動局装置５Ｐｒｉｍａｒｙ  ＤＬ  ＣＣとは異なる下りリンク要素周波数帯域に対してはＤｅａｃｔｉｖａｔｅｄ  ＣＣに設定することから始まるようにしてもよい。移動局装置５が追加で下りリンク要素周波数帯域が構成されるような場合においては、移動局装置５は追加構成された下りリンク要素周波数帯域に対してはＤｅａｃｔｉｖａｔｅｄ  ＣＣに設定することから始まるようにしてもよい。
【０１２４】
＜周波数帯域集約を用いた場合のＡＣＫ／ＮＡＣＫ／ＤＴＸ＞
応答生成部４０５１の詳細について説明する。応答生成部４０５１は、制御部４０５で判断されたデータの誤り結果に基づき信号の受信を行なうことが要求される各下りリンク要素周波数帯域、つまり各Ａｃｔｉｖａｔｅｄ  ＣＣで受信された信号に含まれる情報データに対するＡＣＫおよび／またはＮＡＣＫおよび／またはＤＴＸを示す制御情報を生成する。応答生成部４０５１は、先ず、各Ａｃｔｉｖａｔｅｄ  ＣＣに対して物理下りリンク共用チャネルの無線リソース割り当ての情報を含む物理下りリンク制御チャネルが検出されたか否かを判断する。制御部４０５は、受信処理部４０１から入力された物理下りリンク制御チャネルに含まれる制御情報を応答生成部４０５１においても用いる。応答生成部４０５１は、物理下りリンク共用チャネルの無線リソース割り当ての情報を含む物理下りリンク制御チャネルが検出されず、物理下りリンク共用チャネルの信号が配置されないＡｃｔｉｖａｔｅｄ  ＣＣに対してＤＴＸと設定する。次に、応答生成部４０５１は、物理下りリンク共用チャネルの無線リソース割り当ての情報を含む物理下りリンク制御チャネルが検出されたと判断した場合、物理下りリンク共用チャネルに含まれるデータが誤っているか否かを判断する。応答生成部４０５１によるこの判断は、制御部４０５で判断されたデータの誤り結果に基づく。応答生成部４０５１は、データが誤っていないと判断されたＡｃｔｉｖａｔｅｄ  ＣＣに対してＡＣＫと設定し、データが誤っていると判断されたＡｃｔｉｖａｔｅｄ  ＣＣに対してＮＡＣＫと設定する。
【０１２５】
図９は、Ａｃｔｉｖａｔｅｄ  ＣＣの数が２個の場合（下りリンク要素周波数帯域１、下りリンク要素周波数帯域２）のＡｃｔｉｖａｔｅｄ  ＣＣで受信された信号に含まれるデータに対するＡＣＫおよび／またはＮＡＣＫおよび／またはＤＴＸを示す制御情報を示す図である。Ａｃｔｉｖａｔｅｄ  ＣＣの数が２個の場合、８種類の制御情報の何れかが応答生成部４０５１で生成される。ここで、制御情報Ｔｙｐｅ１は下りリンク要素周波数帯域１がＡＣＫ、下りリンク要素周波数帯域２がＡＣＫの場合に応答生成部４０５１で生成される制御情報を示し、制御情報Ｔｙｐｅ２は下りリンク要素周波数帯域１がＡＣＫ、下りリンク要素周波数帯域２がＮＡＣＫの場合に応答生成部４０５１で生成される制御情報を示し、制御情報Ｔｙｐｅ３は下りリンク要素周波数帯域１がＮＡＣＫ、下りリンク要素周波数帯域２がＡＣＫの場合に応答生成部４０５１で生成される制御情報を示し、制御情報Ｔｙｐｅ４は下りリンク要素周波数帯域１がＮＡＣＫ、下りリンク要素周波数帯域２がＮＡＣＫの場合に応答生成部４０５１で生成される制御情報を示し、制御情報Ｔｙｐｅ５は下りリンク要素周波数帯域１がＡＣＫ、下りリンク要素周波数帯域２がＤＴＸの場合に応答生成部４０５１で生成される制御情報を示し、制御情報Ｔｙｐｅ６は下りリンク要素周波数帯域１がＤＴＸ、下りリンク要素周波数帯域２がＡＣＫの場合に応答生成部４０５１で生成される制御情報を示し、制御情報Ｔｙｐｅ７は下りリンク要素周波数帯域１がＮＡＣＫ、下りリンク要素周波数帯域２がＤＴＸの場合に応答生成部４０５１で生成される制御情報を示し、制御情報Ｔｙｐｅ８は下りリンク要素周波数帯域１がＤＴＸ、下りリンク要素周波数帯域２がＮＡＣＫの場合に応答生成部４０５１で生成される制御情報を示す。なお、下りリンク要素周波数帯域１がＤＴＸ、下りリンク要素周波数帯域２がＤＴＸの場合は、応答生成部４０５１では何も制御情報は生成されない。
【０１２６】
なお、物理下りリンク制御チャネルと、その物理下りリンク制御チャネルが無線リソースの割り当てに関する情報を含む物理下りリンク共用チャネルは、同じ下りリンク要素周波数帯域に配置されてもよいし、異なる下りリンク要素周波数帯域に配置されてもよい。例えば、２個の下りリンク要素周波数帯域（下りリンク要素周波数帯域１、下りリンク要素周波数帯域２）、２個の物理下りリンク制御チャネル（物理下りリンク制御チャネル１、物理下りリンク制御チャネル２）、２個の物理下りリンク共用チャネル（物理下りリンク共用チャネル１、物理下りリンク共用チャネル２）が用いられる場合について説明する。なお、物理下りリンク制御チャネル１は物理下りリンク共用チャネル１の無線リソースの割り当てに関する情報を含み、物理下りリンク制御チャネル２は物理下りリンク共用チャネル２の無線リソースの割り当てに関する情報を含む。下りリンク要素周波数帯域１に物理下りリンク制御チャネル１と物理下りリンク共用チャネル１が配置され、下りリンク要素周波数帯域２に物理下りリンク制御チャネル２と物理下りリンク共用チャネル２が配置されてもよい。下りリンク要素周波数帯域１に物理下りリンク制御チャネル２と物理下りリンク共用チャネル２が配置され、下りリンク要素周波数帯域２に物理下りリンク制御チャネル１と物理下りリンク共用チャネル１が配置されてもよい。下りリンク要素周波数帯域１に物理下りリンク制御チャネル１と物理下りリンク制御チャネル２と物理下りリンク共用チャネル１が配置され、下りリンク要素周波数帯域２に物理下りリンク共用チャネル２が配置されてもよい。下りリンク要素周波数帯域１に物理下りリンク共用チャネル１が配置され、下りリンク要素周波数帯域２に物理下りリンク制御チャネル１と物理下りリンク制御チャネル２と物理下りリンク共用チャネル２が配置されてもよい。なお、同一の下りリンク要素周波数帯域に複数の物理下りリンク共用チャネルは配置されない。
【０１２７】
また、ＮＡＣＫとＤＴＸを別々に示す構成の制御情報ではなく、ＤＴＸに相当する状態の場合もＮＡＣＫと示す構成の制御情報であってもよい。ＡＣＫとＮＡＣＫのみを示す構成の制御情報であっても、本発明を適用することができる。
【０１２８】
図１０は、Ａｃｔｉｖａｔｅｄ  ＣＣの数が３個の場合（下りリンク要素周波数帯域１、下りリンク要素周波数帯域２、下りリンク要素周波数帯域３）のＡｃｔｉｖａｔｅｄ  ＣＣで受信された信号に含まれるデータに対するＡＣＫおよび／またはＮＡＣＫおよび／またはＤＴＸを示す制御情報を示す図である。Ａｃｔｉｖａｔｅｄ  ＣＣの数が３個の場合、２６種類の制御情報の何れかが応答生成部４０５１で生成される。各Ａｃｔｉｖａｔｅｄ  ＣＣで３個の状態（ＡＣＫ、ＮＡＣＫ、ＤＴＸ）の可能性がある。よって、Ａｃｔｉｖａｔｅｄ  ＣＣ数をＮとした場合、Ａｃｔｉｖａｔｅｄ  ＣＣの数に応じてＡｃｔｉｖａｔｅｄ  ＣＣで受信された信号に含まれるデータに対するＡＣＫおよび／またはＮＡＣＫおよび／またはＤＴＸを示す（全てのＡｃｔｉｖａｔｅｄ  ＣＣがＤＴＸの場合を除く）ために必要な制御情報の数は、３をＮ乗した値から１を減算した値となる。Ａｃｔｉｖａｔｅｄ  ＣＣの数が４個以上の場合も、同様の考えで、Ａｃｔｉｖａｔｅｄ  ＣＣで受信された信号に含まれるデータに対するＡＣＫおよび／またはＮＡＣＫおよび／またはＤＴＸを示す制御情報を構成する。応答生成部４０５１は、生成した、Ａｃｔｉｖａｔｅｄ  ＣＣで受信された信号に含まれるデータに対するＡＣＫおよび／またはＮＡＣＫおよび／またはＤＴＸを示す制御情報を符号語選択部４０５５に出力する。
【０１２９】
＜ＡＣＫ／ＮＡＣＫ／ＤＴＸを示す制御情報に対応した符号語の選択＞
符号語選択部４０５５の詳細について説明する。符号語選択部４０５５は、無線リソース制御部４０３より符号語表設定部４５５１で設定された符号語表に関する制御情報が入力され、無線リソース制御部４０３より入力された制御情報で示される符号語表の中から符号語を選択する。符号語選択部４０５５は、応答生成部４０５１より入力された各Ａｃｔｉｖａｔｅｄ  ＣＣで受信された信号に含まれる情報データに対するＡＣＫおよび／またはＮＡＣＫおよび／またはＤＴＸに対応する符号語を符号語表の中から選択する。
【０１３０】
図１１は、符号語選択部４０５５で用いられる符号語表の概略構成例を示す図である。符号語表は、異なる数のＡｃｔｉｖａｔｅｄ  ＣＣに対応した符号帳（codebookと呼称する。）から構成される。なお、符号語表は、移動局装置５で用いられるＡｃｔｉｖａｔｅｄ  ＣＣの最小数から最大数までに対応した符号帳から構成され、図１１ではＡｃｔｉｖａｔｅｄ  ＣＣの最小数が２個、最大数が５個の場合について示している。各符号帳は、複数の符号語から構成され、それらの符号語は全て異なる。符号帳を構成する符号語の数は、Ａｃｔｉｖａｔｅｄ  ＣＣで受信された信号に含まれるデータに対するＡＣＫおよび／またはＮＡＣＫおよび／またはＤＴＸを示す制御情報の種類の数と同じである。例えば、２個のＡｃｔｉｖａｔｅｄ  ＣＣに対応した符号帳を構成する符号語の数は８個、３個のＡｃｔｉｖａｔｅｄ  ＣＣに対応した符号帳を構成する符号語の数は２６個である。
【０１３１】
図１２は、２個のＡｃｔｉｖａｔｅｄ  ＣＣに対応した符号帳を構成する符号語の例を示す図である。図１２では、符号語が１０個のビットから構成される場合について示す。符号語１は“１１０１００００１１”から構成され、符号語２は“００１１１０１００１”から構成され、符号語３は“１００１０１１１００”から構成され、符号語４は“０１１００１０１０１”から構成され、符号語５は“１１１１１１１１１１”から構成され、符号語６は“００００００１１１１”から構成され、符号語７は“００００００００００”から構成され、符号語８は“１１１１１１００００”から構成される。
【０１３２】
図１２に示す２個のＡｃｔｉｖａｔｅｄ  ＣＣに対応した符号帳を構成する符号語は、図９に示すＡｃｔｉｖａｔｅｄ  ＣＣの数が２個の場合のＡｃｔｉｖａｔｅｄ  ＣＣで受信された信号に含まれるデータに対するＡＣＫおよび／またはＮＡＣＫおよび／またはＤＴＸを示す制御情報と対応する。符号語選択部４０５５は、応答生成部４０５１より入力された制御情報が制御情報Ｔｙｐｅ１の場合に符号語１を選択し、応答生成部４０５１より入力された制御情報が制御情報Ｔｙｐｅ２の場合に符号語２を選択し、応答生成部４０５１より入力された制御情報が制御情報Ｔｙｐｅ３の場合に符号語３を選択し、応答生成部４０５１より入力された制御情報が制御情報Ｔｙｐｅ４の場合に符号語４を選択し、応答生成部４０５１より入力された制御情報が制御情報Ｔｙｐｅ５の場合に符号語５を選択し、応答生成部４０５１より入力された制御情報が制御情報Ｔｙｐｅ６の場合に符号語６を選択し、応答生成部４０５１より入力された制御情報が制御情報Ｔｙｐｅ７の場合に符号語７を選択し、応答生成部４０５１より入力された制御情報が制御情報Ｔｙｐｅ８の場合に符号語８を選択する。
【０１３３】
図１３は、３個のＡｃｔｉｖａｔｅｄ  ＣＣに対応した符号帳を構成する符号語の例を示す図である。図１３では、符号語が１０個のビットから構成される場合について示す。符号語１０１は“１００１１１０１０１”から構成され、符号語１０２は“１１１１０００１１０”から構成され、符号語１０３は“０１１０１０１１０１”から構成され、符号語１０４は“１１１０１０００００”から構成され、符号語１０５は“０１０１０１１０００”から構成され、符号語１０６は“１０１１００１０１１”から構成され、符号語１０７は“００００１１１００１”から構成され、符号語１０８は“１１０００１１１１０”から構成され、符号語１０９は“０００１１００１１０”から構成され、符号語１１０は“１０００００１１０１”から構成され、符号語１１１は“１１１１１１１１１１”から構成され、符号語１１２は“００１００１００１１”から構成され、符号語１１３は“１１００１１００１１”から構成され、符号語１１４は“１０００１０１０１０”から構成され、符号語１１５は“０１１１０１０１０１”から構成され、符号語１１６は“００１１００１１００”から構成され、符号語１１７は“１１１００１１００１”から構成され、符号語１１８は“００００００００００”から構成され、符号語１１９は“００１１１００００１”から構成され、符号語１２０は“１１０１１０１１００”から構成され、符号語１２１は“１０１００１０１００”から構成され、符号語１２２は“０１０００００１１１”から構成され、符号語１２３は“００１０１１１１１０”から構成され、符号語１２４は“０１１１１１００１０”から構成され、符号語１２５は“１００１０１００１０”から構成され、符号語１２６は“０１０１１０１０１１”から構成される。なお、図１３において、図１２で示す２個のＡｃｔｉｖａｔｅｄ  ＣＣに対応した符号帳の符号語と同一のものがあるが、説明の便宜上同一であるだけで、同じ符号語表の中ではそれらの符号語は異なる。
【０１３４】
図１３に示す３個のＡｃｔｉｖａｔｅｄ  ＣＣに対応した符号帳を構成する符号語は、図１０に示すＡｃｔｉｖａｔｅｄ  ＣＣの数が３個の場合のＡｃｔｉｖａｔｅｄ  ＣＣで受信された信号に含まれるデータに対するＡＣＫおよび／またはＮＡＣＫおよび／またはＤＴＸを示す制御情報と対応する。符号語選択部４０５５は、応答生成部４０５１より入力された制御情報が制御情報Ｔｙｐｅ１０１の場合に符号語１０１を選択し、応答生成部４０５１より入力された制御情報が制御情報Ｔｙｐｅ１０２の場合に符号語１０２を選択し、応答生成部４０５１より入力された制御情報が制御情報Ｔｙｐｅ１０３の場合に符号語１０３を選択し、応答生成部４０５１より入力された制御情報が制御情報Ｔｙｐｅ１０４の場合に符号語１０４を選択し、応答生成部４０５１より入力された制御情報が制御情報Ｔｙｐｅ１０５の場合に符号語１０５を選択し、応答生成部４０５１より入力された制御情報が制御情報Ｔｙｐｅ１０６の場合に符号語１０６を選択し、応答生成部４０５１より入力された制御情報が制御情報Ｔｙｐｅ１０７の場合に符号語１０７を選択し、応答生成部４０５１より入力された制御情報が制御情報Ｔｙｐｅ１０８の場合に符号語１０８を選択し、応答生成部４０５１より入力された制御情報が制御情報Ｔｙｐｅ１０９の場合に符号語１０９を選択し、応答生成部４０５１より入力された制御情報が制御情報Ｔｙｐｅ１１０の場合に符号語１１０を選択し、応答生成部４０５１より入力された制御情報が制御情報Ｔｙｐｅ１１１の場合に符号語１１１を選択し、応答生成部４０５１より入力された制御情報が制御情報Ｔｙｐｅ１１２の場合に符号語１１２を選択し、応答生成部４０５１より入力された制御情報が制御情報Ｔｙｐｅ１１３の場合に符号語１１３を選択し、応答生成部４０５１より入力された制御情報が制御情報Ｔｙｐｅ１１４の場合に符号語１１４を選択し、応答生成部４０５１より入力された制御情報が制御情報Ｔｙｐｅ１１５の場合に符号語１１５を選択し、応答生成部４０５１より入力された制御情報が制御情報Ｔｙｐｅ１１６の場合に符号語１１６を選択し、応答生成部４０５１より入力された制御情報が制御情報Ｔｙｐｅ１１７の場合に符号語１１７を選択し、応答生成部４０５１より入力された制御情報が制御情報Ｔｙｐｅ１１８の場合に符号語１１８を選択し、応答生成部４０５１より入力された制御情報が制御情報Ｔｙｐｅ１１９の場合に符号語１１９を選択し、応答生成部４０５１より入力された制御情報が制御情報Ｔｙｐｅ１２０の場合に符号語１２０を選択し、応答生成部４０５１より入力された制御情報が制御情報Ｔｙｐｅ１２１の場合に符号語１２１を選択し、応答生成部４０５１より入力された制御情報が制御情報Ｔｙｐｅ１２２の場合に符号語１２２を選択し、応答生成部４０５１より入力された制御情報が制御情報Ｔｙｐｅ１２３の場合に符号語１２３を選択し、応答生成部４０５１より入力された制御情報が制御情報Ｔｙｐｅ１２４の場合に符号語１２４を選択し、応答生成部４０５１より入力された制御情報が制御情報Ｔｙｐｅ１２５の場合に符号語１２５を選択し、応答生成部４０５１より入力された制御情報が制御情報Ｔｙｐｅ１２６の場合に符号語１２６を選択する。説明は省略するが、Ａｃｔｉｖａｔｅｄ  ＣＣの数が４個以上の場合でも、図１２、図１３と同様に、異なる符号語が符号帳を構成する。
【０１３５】
＜符号語表の設定＞
符号語表設定部４５５１の詳細について説明する。符号語表設定部４５５１は、複数の異なる種類の符号語表を予め記憶している。図１４は、符号語表設定部４５５１が記憶している符号語表の例を示す概略図である。図１４では、符号語表設定部４５５１は２種類の符号語表（符号語表Ｔｙｐｅ１、符号語表Ｔｙｐｅ２）を記憶している。ここで、符号語表Ｔｙｐｅ１を構成する各符号語と、符号語表Ｔｙｐｅ２を構成する各符号語はそれぞれ異なる。移動局装置５が基地局装置３より複数の下りリンク要素周波数帯域を構成され、いくつかの下りリンク要素周波数帯域をＡｃｔｉｖａｔｅｄ  ＣＣに設定された場合、符号語表設定部４５５１は先ず符号語表Ｔｙｐｅ１を符号語選択部４０５５に対して設定する。次に、符号語表設定部４５５１は、コマンド検出部４０５３でＡｃｔｉｖａｔｉｏｎ／ｄｅａｃｔｉｖａｔｉｏｎ  ｃｏｍｍａｎｄが検出されたことを示す制御信号が入力された場合、符号語表Ｔｙｐｅ２を符号語選択部４０５５に対して設定する。以降、符号語表設定部４５５１は、コマンド検出部４０５３でＡｃｔｉｖａｔｉｏｎ／ｄｅａｃｔｉｖａｔｉｏｎ  ｃｏｍｍａｎｄが検出されたことを示す制御信号が入力される毎に符号語表Ｔｙｐｅ１と符号語表Ｔｙｐｅ２を交互に符号語選択部４０５５に対して設定する。
【０１３６】
符号語検出部３０５１、受信要素周波数帯域変更判断部１０５１の詳細について説明する。図１４に示す符号語表を用いて説明する。基地局装置３と移動局装置５が符号語表Ｔｙｐｅ１を用い、移動局装置５のＡｃｔｉｖａｔｅｄ  ＣＣの数が３個の場合からの動作について説明する。符号語検出部３０５１は、制御部１０５を介して無線リソース制御部１０３から指示に基づき、符号語表Ｔｙｐｅ１の３個のＡｃｔｉｖａｔｅｄ  ＣＣに対応した符号帳に属する符号語と、符号語表Ｔｙｐｅ２の全ての符号語の中で、受信された第二の物理上りリンク制御チャネルの信号と最も近い符号語を検出する。つまり、符号語検出部３０５１は、異常がなければ現在移動局装置５に設定されている符号語表のＡｃｔｉｖａｔｅｄ  ＣＣの数に対応した符号帳に属する符号語と、移動局装置５がＡｃｔｉｖａｔｅｄ  ＣＣ、Ｄｅａｃｔｉｖａｔｅｄ  ＣＣの設定を変更した場合に用いられる符号語表の全ての符号帳のそれぞれに属する符号語に対して、第二の物理上りリンク制御チャネルの信号の検出を行なう。符号語検出部３０５１が符号語表Ｔｙｐｅ１の３個のＡｃｔｉｖａｔｅｄ  ＣＣに対応した符号帳に属する符号語を検出した場合、受信要素周波数帯域変更判断部１０５１は、移動局装置５がＡｃｔｉｖａｔｅｄ  ＣＣ、Ｄｅａｃｔｉｖａｔｅｄ  ＣＣの設定を変更していないと判断し、符号語検出部３０５１が符号語表Ｔｙｐｅ２の何れかの符号帳に属する符号語を検出した場合、受信要素周波数帯域変更判断部１０５１は、移動局装置５がＡｃｔｉｖａｔｅｄ  ＣＣ、Ｄｅａｃｔｉｖａｔｅｄ  ＣＣの設定を変更したと判断する。つまり、受信要素周波数帯域変更判断部１０５１は、符号語検出部３０５１で検出された符号語が、前回符号語検出部３０５１で検出された符号語を含む符号語表の種類に対して異なる種類の符号語表に属する符号語である場合に移動局装置５がＡｃｔｉｖａｔｅｄ  ＣＣ、Ｄｅａｃｔｉｖａｔｅｄ  ＣＣの設定を変更したと判断し、符号語検出部３０５１で検出された符号語が、前回検出された符号語を含む符号語表の種類に対して同じ種類の符号語表に属する符号語である場合に移動局装置５がＡｃｔｉｖａｔｅｄ  ＣＣ、Ｄｅａｃｔｉｖａｔｅｄ  ＣＣの設定を変更していないと判断する。
【０１３７】
なお、符号語検出部３０５１は、符号語表Ｔｙｐｅ１のその他の種類の符号帳に属する符号語も第二の物理上りリンク制御チャネルの信号に含まれる制御情報の検出対象としてもかまわないが、実際に移動局装置５から送信される可能性のある３個のＡｃｔｉｖａｔｅｄ  ＣＣに対応した符号帳に属する符号語に絞り込むことにより、検出特性を向上させることができる。
【０１３８】
＜符号語表の設定＞
図１５は、本発明の実施形態に係る移動局装置５の符号語表の設定の一例を示すフローチャートである。コマンド検出部４０５３は、受信処理部４０１より入力された物理下りリンク共用チャネルの情報の中にＡｃｔｉｖａｔｉｏｎ／ｄｅａｃｔｉｖａｔｉｏｎ  ｃｏｍｍａｎｄを検出したか否かを判定する（ステップＳ１０１）。コマンド検出部４０５３は、Ａｃｔｉｖａｔｉｏｎ／ｄｅａｃｔｉｖａｔｉｏｎ  ｃｏｍｍａｎｄが検出されたと判定した場合（ステップＳ１０１：YES）、無線リソース制御部４０３にＡｃｔｉｖａｔｉｏｎ／ｄｅａｃｔｉｖａｔｉｏｎ  ｃｏｍｍａｎｄが検出された旨を示す制御信号を出力し、符号語表設定部４５５１は、現在設定されている符号語表に対して異なる種類の符号語表を設定する（ステップＳ１０２）。一方、コマンド検出部４０５３は、Ａｃｔｉｖａｔｉｏｎ／ｄｅａｃｔｉｖａｔｉｏｎ  ｃｏｍｍａｎｄが検出されていないと判定した場合（ステップＳ１０１：NO）、無線リソース制御部４０３に何も制御信号を出力せず、符号語表設定部４５５１は、現在設定されている符号語表に対して異なる種類の符号語表を設定しない。符号語選択部４０５５は、符号語表設定部４５５１より設定された符号語表の中から符号語を選択する。
【０１３９】
図１６は、本発明の実施形態に係る基地局装置３の、移動局装置５がＡｃｔｉｖａｔｅｄ  ＣＣ、Ｄｅａｃｔｉｖａｔｅｄ  ＣＣの設定を変更したか否かを判断する処理の一例を示すフローチャートである。要素周波数帯域変更判断部１０５１は、受信処理部１０１において検出された符号語に対して、前回検出された符号語を含む符号語表の種類に対して異なる種類の符号語表に属する符号語か否かを判定する（ステップＴ１０１）。要素周波数帯域変更判断部１０５１は、前回検出された符号語を含む符号語表の種類に対して異なる種類の符号語表に属する符号語であると判定した場合（ステップＴ１０１：YES）、移動局装置がＡｃｔｉｖａｔｅｄ  ＣＣ、Ｄｅａｃｔｉｖａｔｅｄ  ＣＣの設定を変更したと判断する（ステップＴ１０２）。一方、要素周波数帯域変更判断部１０５１は、前回検出された符号語を含む符号語表の種類に対して異なる種類の符号語表に属する符号語ではないと判定した場合（ステップＴ１０１：NO）、移動局装置がＡｃｔｉｖａｔｅｄ  ＣＣ、Ｄｅａｃｔｉｖａｔｅｄ  ＣＣの設定を変更していないと判断する（ステップＴ１０３）。基地局装置３は、基地局装置３の意図とは異なり、移動局装置５がＡｃｔｉｖａｔｅｄ  ＣＣ、Ｄｅａｃｔｉｖａｔｅｄ  ＣＣの設定を変更したと判断した場合、設定を正常に戻すために、Ａｃｔｉｖａｔｉｏｎ／ｄｅａｃｔｉｖａｔｉｏｎ  ｃｏｍｍａｎｄを移動局装置５に対して送信する。
【０１４０】
以上のように、本発明の実施形態では、移動局装置５は、Ａｃｔｉｖａｔｉｏｎ／ｄｅａｃｔｉｖａｔｉｏｎ  ｃｏｍｍａｎｄを検出する毎に異なる種類の符号語表を設定し、設定された符号語表の中から各Ａｃｔｉｖａｔｅｄ  ＣＣである下りリンク要素周波数帯域で受信された信号に含まれるデータに対するＡＣＫおよび／またはＮＡＣＫおよび／またはＤＴＸに対応する符号語を選択することにより、基地局装置３は移動局装置５のＡｃｔｉｖａｔｅｄ  ＣＣ、Ｄｅａｃｔｉｖａｔｅｄ  ＣＣの設定の誤りを早急に検出することができ、移動局装置５と基地局装置３間のＡｃｔｉｖａｔｅｄ  ＣＣ、Ｄｅａｃｔｉｖａｔｅｄ  ＣＣの設定の不一致を早急に復旧させることができる。より詳細には、移動局装置５がＡｃｔｉｖａｔｉｏｎ／ｄｅａｃｔｉｖａｔｉｏｎ  ｃｏｍｍａｎｄを含む物理下りリンク共用チャネルを正しく復号できず、否定応答を示す信号を基地局装置３に対して送信するが、基地局装置３は移動局装置５から送信された信号が肯定応答を示していると間違って判断した場合、移動局装置５が、Ａｃｔｉｖａｔｉｏｎ／ｄｅａｃｔｉｖａｔｉｏｎ  ｃｏｍｍａｎｄを含む物理下りリンク共用チャネルを検出できず、ＤＴＸを示す信号を送信するが、基地局装置３は移動局装置５から送信された信号が肯定応答を示していると間違って判断した場合、移動局装置５が下りリンクの何れのＡｃｔｉｖａｔｅｄ  ＣＣの下りリンク要素周波数帯域でも信号を検出せず、上りリンクで誤り結果を含む信号を送信しないが、基地局装置３は移動局装置５が下りリンクで受信されたデータの誤り結果の送信に用いる予定の上りリンクの無線リソースに対して移動局装置５から信号が送信されたと間違って判断し、且つその信号が肯定応答を示していると間違って判断する場合、それぞれの場合に生じる基地局装置３と移動局装置５間でのＡｃｔｉｖａｔｅｄ  ＣＣとＤｅａｃｔｉｖａｔｅｄ  ＣＣの設定の解釈の不一致を本発明は早急に復旧させることができる。
【０１４１】
また、本発明の符号語表は、Ａｃｔｉｖａｔｅｄ  ＣＣの数に応じた符号帳のみから構成するだけでよいので、Ａｃｔｉｖａｔｅｄ  ＣＣの数だけでなく、構成された下りリンク要素周波数帯域のＡｃｔｉｖａｔｅｄ  ＣＣの位置に対応した符号帳を構成する場合と比較して、基地局装置３は検出対象とする符号語を少なくすることができ、第二の物理上りリンク制御チャネルの信号の検出特性を向上させることができる。例えば、５個の下りリンク要素周波数帯域（下りリンク要素周波数帯域１、下りリンク要素周波数帯域２、下りリンク要素周波数帯域３、下りリンク要素周波数帯域４、下りリンク要素周波数帯域５）が移動局装置５に構成され、２個の下りリンク要素周波数帯域がＡｃｔｉｖａｔｅｄ  ＣＣに設定される場合、下りリンク要素周波数帯域１と下りリンク要素周波数帯域２に対応した符号帳、下りリンク要素周波数帯域１と下りリンク要素周波数帯域３に対応した符号帳、下りリンク要素周波数帯域１と下りリンク要素周波数帯域４に対応した符号帳、下りリンク要素周波数帯域１と下りリンク要素周波数帯域５に対応した符号帳、下りリンク要素周波数帯域２と下りリンク要素周波数帯域３に対応した符号帳、下りリンク要素周波数帯域２と下りリンク要素周波数帯域４に対応した符号帳、下りリンク要素周波数帯域２と下りリンク要素周波数帯域５に対応した符号帳、下りリンク要素周波数帯域３と下りリンク要素周波数帯域４に対応した符号帳、下りリンク要素周波数帯域３と下りリンク要素周波数帯域５に対応した符号帳、下りリンク要素周波数帯域４と下りリンク要素周波数帯域５に対応した符号帳、合計１０種類の符号帳を符号語表に構成する必要はなく、２個のＡｃｔｉｖａｔｅｄ  ＣＣに対応した共通の１種類の符号帳のみを符号語表に構成するだけでよい。下りリンク要素周波数帯域１、下りリンク要素周波数帯域２がＡｃｔｉｖａｔｅｄ  ＣＣである状態において、移動局装置５は間違ってＡｃｔｉｖａｔｉｏｎ／ｄｅａｃｔｉｖａｔｉｏｎ  ｃｏｍｍａｎｄを解読し、下りリンク要素周波数帯域１、下りリンク要素周波数帯域３がＡｃｔｉｖａｔｅｄ  ＣＣに設定されたと解釈した場合に、移動局装置５は、異なる種類の符号語表を設定するので、基地局装置３はＡｃｔｉｖａｔｅｄ  ＣＣの数は変わらないがＡｃｔｉｖａｔｅｄ  ＣＣの位置が変わった場合の誤りも検出することができる。
【０１４２】
本発明の実施形態では、基地局装置３は、検出された符号語を含む符号語表の種類を検出することにより、移動局装置５のＡｃｔｉｖａｔｅｄ  ＣＣ、Ｄｅａｃｔｉｖａｔｅｄ  ＣＣの設定の誤りを早急に検出することができ、移動局装置５と基地局装置３間のＡｃｔｉｖａｔｅｄ  ＣＣ、Ｄｅａｃｔｉｖａｔｅｄ  ＣＣの設定の不一致を早急に復旧させることができる。基地局装置３は、前回検出された符号語が属する符号帳と、前回検出された符号語が属する符号語表とは異なる種類の符号語表の中から第二の物理上りリンク制御チャネルの信号が示す符号語を検出することにより、各符号語表の全ての符号語ではなく、可能性のある符号語に検出対象を絞り込むことができ、符号語の検出特性を向上させることができる。
【０１４３】
なお、本発明の上記実施形態では、Ａｃｔｉｖａｔｉｏｎ／ｄｅａｃｔｉｖａｔｉｏｎ  ｃｏｍｍａｎｄが物理下りリンク共用チャネルを用いて送信される構成について示したが、物理下りリンク制御チャネルを用いて送信される構成にも本発明は適用できる。移動局装置５のコマンド検出部４０５３は、物理下りリンク制御チャネルに含まれる情報からＡｃｔｉｖａｔｉｏｎ／ｄｅａｃｔｉｖａｔｉｏｎ  ｃｏｍｍａｎｄを検出する。また、移動局装置５とは、移動する端末に限らず、固定端末に移動局装置５の機能を実装することなどにより本発明を実現しても良い。
【０１４４】
なお、本発明の上記実施形態では、周波数帯域集約を用いた場合の物理下りリンク共用チャネルに対する誤り結果である受信確認応答からなる制御情報が第二の物理上りリンク制御チャネルを用いて送信される場合について示したが、物理上りリンク共用チャネルを用いて送信される場合にも本発明は適用できる。例えば、第二の物理上りリンク制御チャネルの無線リソースが設定された上りリンクサブフレームにおいて、情報データの送信のための物理上りリンク共用チャネルが設定された場合に、周波数帯域集約を用いた場合の物理下りリンク共用チャネルに対する誤り結果である受信確認応答からなる制御情報を情報データと共に物理上りリンク共用チャネルを用いて移動局装置５は送信してもよい。基地局装置３は、このような処理を移動局装置５が行なうことを予め認識しておく。
【０１４５】
以上説明した本発明の特徴的な手段は、集積回路に機能を実装し、制御することによっても実現することができる。すなわち、本発明の集積回路は、移動局装置５に実装されることにより、移動局装置５に複数の機能を発揮させる集積回路であって、基地局装置３より、予め定められた周波数帯域幅を有する要素周波数帯域を１個以上用いて信号の受信を行なう機能と、各要素周波数帯域で受信された信号に含まれるデータに対する肯定応答および／または否定応答を少なくとも示す制御情報を生成する機能と、生成された制御情報に対応する符号語を符号語表から選択する機能と、信号の受信を行なうことが要求される１個以上の要素周波数帯域を示すコマンドの検出を行なう機能と、コマンドが検出される毎に異なる種類の符号語表を前記符号語選択部に対して設定する機能と、を含む一連の機能を、移動局装置５に発揮させることを特徴とする。
【０１４６】
このように、本発明の集積回路を用いた移動局装置５は、Ａｃｔｉｖａｔｉｏｎ／ｄｅａｃｔｉｖａｔｉｏｎ  ｃｏｍｍａｎｄを検出する毎に異なる種類の符号語表を設定し、設定された符号語表のなかから各Ａｃｔｉｖａｔｅｄ  ＣＣである下りリンク要素周波数帯域で受信された信号に含まれるデータに対するＡＣＫおよび／またはＮＡＣＫおよび／またはＤＴＸに対応する符号語を選択することにより、基地局装置３は移動局装置５のＡｃｔｉｖａｔｅｄ  ＣＣ、Ｄｅａｃｔｉｖａｔｅｄ  ＣＣの設定の誤りを早急に検出することができ、移動局装置５と基地局装置３間のＡｃｔｉｖａｔｅｄ  ＣＣ、Ｄｅａｃｔｉｖａｔｅｄ  ＣＣの設定の不一致を早急に復旧させることができる。
【０１４７】
また、本発明の集積回路は、基地局装置３に実装されることにより、基地局装置３に複数の機能を発揮させる集積回路であって、移動局装置５に対して、予め定められた周波数帯域幅を有する要素周波数帯域を１個以上用いて信号の送信を行なう機能と、移動局装置５に対して信号の受信を行なうことを要求する１個以上の要素周波数帯域を示すコマンドの生成を行なう機能と、生成されたコマンドを移動局装置５に対して送信する機能と、移動局装置５から複数の要素周波数帯域で受信された信号に含まれるデータに対する肯定応答および／または否定応答を少なくとも示す制御情報に対応する符号語を含む信号を受信する機能と、複数の符号語から構成される符号語表であって、異なる種類の複数の符号語表の中から受信された信号が含む符号語を検出する機能と、検出された符号語が属する符号語表の種類に基づいて移動局装置５が信号の受信を行なうことが要求される１個以上の要素周波数帯域を変更したか否かを判断する機能と、を含む一連の機能を、基地局装置３に発揮させることを特徴とする。
【０１４８】
このように、本発明の集積回路を用いた移動局装置３は、検出された符号語を含む符号語表の種類を検出することにより、移動局装置５のＡｃｔｉｖａｔｅｄ  ＣＣ、Ｄｅａｃｔｉｖａｔｅｄ  ＣＣの設定の誤りを早急に検出することができ、移動局装置５と基地局装置３間のＡｃｔｉｖａｔｅｄ  ＣＣ、Ｄｅａｃｔｉｖａｔｅｄ  ＣＣの設定の不一致を早急に復旧させることができる。
【０１４９】
本発明に関わる移動局装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５０】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における移動局装置５および基地局装置３の一部、または全部を典型的には集積回路であるＬＳＩとして実現してもよい。移動局装置５および基地局装置３の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１５１】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１５２】
３  基地局装置
５（Ａ〜Ｃ）  移動局装置
１０１  受信処理部
１０３  無線リソース制御部
１０５  制御部
１０７  送信処理部
１０９  受信アンテナ
１１１  送信アンテナ
２０１  物理下りリンク共用チャネル処理部
２０３  物理下りリンク制御チャネル処理部
２０５  下りリンクパイロットチャネル処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
３０１  受信ＲＦ部
３０３  Ａ／Ｄ部
３０５  要素周波数帯域分離部
３０７  上りリンク要素周波数帯域毎受信処理部
３０９  シンボルタイミング検出部
３１１  ＧＩ除去部
３１３  ＦＦＴ部
３１５  サブキャリアデマッピング部
３１７  伝搬路推定部
３１９  伝搬路等化部（物理上りリンク共用チャネル用）
３２１  伝搬路等化部（物理上りリンク制御チャネル用）
３２３  ＩＤＦＴ部
３２５  データ復調部
３２７  ターボ復号部
３２９  物理上りリンク制御チャネル検出部
４０１  受信処理部
４０３  無線リソース制御部
４０５  制御部
４０７  送信処理部
４０９  受信アンテナ
４１１  送信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  伝搬路補償部（物理下りリンク共用チャネル用）
５１７  物理下りリンク共用チャネル復号部
５１９  伝搬路補償部（物理下りリンク制御チャネル用）
５２１  物理下りリンク制御チャネル復号部
５２３  データ復調部
５２５  ターボ復号部
５２７  ＱＰＳＫ復調部
５２９  ビタビデコーダ部
６０１  上りリンク要素周波数帯域毎送信処理部
６０３  要素周波数帯域合成部
６０５  Ｄ／Ａ部
６０７  送信ＲＦ部
６１１  ターボ符号部
６１３  データ変調部
６１５  ＤＦＴ部
６１７  上りリンクパイロットチャネル処理部
６１９  物理上りリンク制御チャネル処理部
６２１  サブキャリアマッピング部
６２３  ＩＦＦＴ部
６２４  乗算部
６２５  ＧＩ挿入部
１０５１  受信要素周波数帯域変更判断部
３０５１  符号語検出部
４０５１  応答生成部
４０５３  コマンド検出部
４０５５  符号語検出部
４５５１  符号語表設定部
【図１】
2011211322.tif 000003
【図２】
2011211322.tif 000004
【図３】
2011211322.tif 000005
【図４】
2011211322.tif 000006
【図５】
2011211322.tif 000007
【図６】
2011211322.tif 000008
【図７】
2011211322.tif 000009
【図８】
2011211322.tif 000010
【図９】
2011211322.tif 000011
【図１０】
2011211322.tif 000012
【図１１】
2011211322.tif 000013
【図１２】
2011211322.tif 000014
【図１３】
2011211322.tif 000015
【図１４】
2011211322.tif 000016
【図１５】
2011211322.tif 000017
【図１６】
2011211322.tif 000018
【図１７】
2011211322.tif 000019
【図１８】
2011211322.tif 000020
【図１９】
2011211322.tif 000021